(57)【要約】  本発明は、口腔ケアシステム（１１００）を提供し、本口腔ケアシステムは、第１（１１３２）及び第２（１１３４）の複数のノズルを備える器具であって、ユーザの口腔の１つ又は２つ以上の表面と流体連通する第１及び第２の複数のノズルと共にユーザの口の中で保持されるように構成された、器具と、ガスの供給源と、液体の供給源と、同伴流体を器具に方向付けるための流体制御装置と、を備える。また、本発明のシステムを使用して口腔の１つ又は２つ以上の表面を洗浄すること、又は別様にそこに利益を提供する方法も開示する。
2020521594.tif 000002
【特許請求の範囲】
【請求項１】
口腔ケアシステムであって、
ａ．第１及び第２の複数のノズルを備える器具であって、前記第１及び第２の複数のノズルがユーザの口腔の１つ又は２つ以上の表面と流体連通した状態で前記ユーザの口の中に保持されるように構成された、器具と、
ｂ．ガスの供給源と、
ｃ．液体の供給源と、
ｄ．流体を前記器具に方向付けるための流体制御装置と、を備え、
そのようなシステムは、０超〜約５０の周波数比（液体／ガス）で、前記ガスの供給源からのガスが前記流体制御装置から前記器具内の前記第１の複数のノズルへ律動的に送り込まれ、かつ前記液体の供給源からの液体が前記流体制御装置から律動的に送り込まれた前記ガスの中へ律動的に送り込まれて、前記流体制御装置と前記ノズルとの間に同伴流体を形成するように構成されている、口腔ケアシステム。
【請求項２】
前記周波数比（液体／ガス）が、０超〜約１５である、請求項１に記載のシステム。
【請求項３】
前記周波数比（液体／ガス）が、０超〜約１０である、請求項１に記載のシステム。
【請求項４】
前記ガスの供給源が、約６．８９〜約６８９．４８ｋＰａ（約１〜約１００ｐｓｉ）の圧力でガスを提供する、請求項１に記載のシステム。
【請求項５】
前記ガスの供給源が、約３４．４７〜約１３７．９０ｋＰａ（約５〜約２０ｐｓｉ）の圧力でガスを提供する、請求項１に記載のシステム。
【請求項６】
前記ガスの供給源が、約６８．９５〜約１０３．４２ｋＰａ（約１０〜約１５ｐｓｉ）の圧力でガスを提供する、請求項１に記載のシステム。
【請求項７】
前記システムが、ノズルパルスあたり約０．００１〜約０．１０ｍｌの流体パルスを提供する、請求項４に記載のシステム。
【請求項８】
請求項１に記載のシステムの器具をユーザの口の中に保持することと、前記装置を動作させて、同伴流体を前記器具に方向付け、かつ前記器具から流体を除去することと、を含む、口腔ケアの利益を前記口腔の１つ又は２つ以上の表面に提供する方法。
【請求項９】
前記同伴流体が、口内洗浄液を含む、請求項８に記載の方法。
【請求項１０】
前記口内洗浄液が、水と、メントール、チモール、オイカリプトール、サリチル酸メチル、及びこれらのうちの２種又は３種以上の組み合わせからなる群から選択される１つ又は２つ以上の精油と、を含む、請求項９に記載の方法。
【請求項１１】
前記口内洗浄液が、エタノールを含む、請求項１０に記載の方法。
【請求項１２】
前記口内洗浄液が、エタノールを含まない、請求項１１に記載の方法。
【発明の詳細な説明】
【技術分野】
【０００１】
本開示は、哺乳類の口腔に有益効果を提供するために使用するのに好適な家庭用用途の口腔ケアシステムに関連する。
【背景技術】
【０００２】
定期的な専門家による歯科検診に加え、日常的な口腔衛生が一般的に、歯周病、歯肉炎及び／又は虫歯の発現、進行、及び／又は悪化に対する効果的な予防措置として認識されている。しかしながら、残念なことに、十分な歯磨きやデンタルフロスの実施を行っている最も注意深い個人でさえも、多くの場合、歯茎の奥及び／又は歯間深くの食物微粒子、歯垢又はバイオフィルムに届き、緩めかつ除去することができていない。ほとんどの個人は、歯石（tarter）堆積物を除去するために半年ごとに専門家による歯の洗浄を受ける。
【０００３】
長年にわたり、単純な歯の家庭洗浄を促進するための製品が考案されてきたが、使用が簡単でかつ歯及び／又は歯肉若しくは歯肉縁下部の全ての表面を同時に洗浄するための単一の装置は未だ入手可能でない。従来の歯ブラシは広範に使用されているがこれは、効果的であるためには多大な労力を投じることを必要とし、更に従来の歯ブラシは隣接歯間領域を十分に洗浄することができない。歯間領域の洗浄は、現在、歯ブラシ以外に、フロス、楊枝、又はいくつかのそのような他の追加的な装置を必要とする。
【０００４】
電気歯ブラシは非常な人気を博しており、これらは歯ブラシを使用するために必要な労力の投入を低減するものの、依然として適切な隣接歯間の洗浄を確実にするためには不十分である。口腔イリガートルは歯の間の隣接歯間領域を洗浄するものとして既知である。しかしながら、このような装置は、食渣を除去するために、関連する正確な歯間領域に向けられなくてはならない単一のジェットを有する。これらウォーターポンプ式洗浄機は、そのため、典型的には、食物の大径粒子をそこに捉えるブレースを有する歯に関してのみ有意義である。食渣及び歯垢の両方が歯から除去されるべき場合においては、現在、多くの装置が組み合わせて使用されなくてはならず、これは非常に時間がかかり、不便であることが理解される。
【０００５】
加えて、このような実施及び装置が効果的であるためには、消費者が技術及び／又は指示を高度に遵守することが要求される。時間、洗浄／処理方式、技術などのユーザ間における違いは、歯の洗浄に影響する。
【発明の概要】
【発明が解決しようとする課題】
【０００６】
本発明は、既存の口腔衛生装置及び方法を用いて上記の不利点の１つ又は２つ以上を改善するか、又は少なくとも既知の技術よりも有利な代替技術を市場にもたらし、かつまた有害な状態を改善するか、若しくは口腔の美的外観を改善するために使用され得る。
【課題を解決するための手段】
【０００７】
一態様では、本発明は、口腔ケアシステムを提供し、本口腔ケアシステムは、第１及び第２の複数のノズルを備える器具であって、第１及び第２の複数のノズルがユーザの口腔の１つ又は２つ以上の表面と流体連通する状態で、ユーザの口の中に保持されるように構成された、器具と、ガスの供給源と、液体の供給源であって、液体の供給源及びガスの供給源が、別々の供給源であり得るか、又はガス及び液体の１つの流体供給源に組み合わせられ得る、液体の供給源と、流体を器具に方向付け、かつ器具から流体を除去するための流体制御装置と、を備え、本システムは、液体及びガスの供給源から一連の同伴流体パルスを生成し、そのようなパルスを、器具内の第１の複数のノズルを通して、ユーザの口腔の１つ又は２つ以上の表面に方向付け、そして、第２の複数のノズルを通して、器具から流体制御装置へ流体を除去するように構成されている。
【０００８】
別の態様によれば、本発明は、口腔ケアシステムを提供し、本口腔ケアシステムは、第１及び第２の複数のノズルを備える器具であって、第１及び第２の複数のノズルがユーザの口腔の１つ又は２つ以上の表面と流体連通している状態で、ユーザの口の中に保持されるように構成された、器具と、ガスの供給源と、液体の供給源と、流体を器具に方向付けるための流体制御装置と、を備え、そのようなシステムは、０超〜約５０の周波数比（液体／ガス）で、ガスの供給源からのガスが流体制御装置から器具の第１の複数のノズルへ律動的に送り込まれ、かつ液体の供給源からの液体が流体制御装置から律動的に送り込まれたガスの中へ律動的に送り込まれて、流体制御装置とノズルとの間に同伴流体を形成するように構成されている、流体制御装置と、を備える。
【０００９】
本発明の他の態様は、本発明のシステムを使用して口腔の１つ又は２つ以上の表面を洗浄すること、又は別様にそこに利益を提供することを対象とする。
【図面の簡単な説明】
【００１０】
【図１】本発明によるシステムの第１の実施形態の概略図である。
【図２】本発明によるシステムの第２の実施形態の概略図である。
【図３】本発明によるシステムの第３の実施形態の概略図である。
【図４】本発明によるシステムの第４の実施形態の概略図である。
【図５ａ】流量制御装置が第１の位置にある、本発明によるシステムの第１の実施形態で使用するための往復式流量制御装置の一実施形態の概略図である。
【図５ｂ】第２の位置にある、図５ａの往復式流量制御装置の概略図である。
【図６ａ】流量制御装置が第１の位置にある、本発明によるシステムの第２の実施形態で使用するための往復式流量制御装置の一実施形態の概略図である。
【図６ｂ】第２の位置にある、図６ａの往復式流量制御装置の概略図である。
【図７ａ】流量制御装置が第１の位置にある、本発明によるシステムの第３の実施形態で使用するための往復式流量制御装置の一実施形態の概略図である。
【図７ｂ】第２の位置にある、図７ａの往復式流量制御装置の概略図である。
【図８ａ】流量制御装置が第１の位置にある、本発明によるシステムの第４の実施形態で使用するための往復式流量制御装置の一実施形態の概略図である。
【図８ｂ】第２の位置にある、図８ａの往復式流量制御装置の概略図である。
【図９】本発明と共に使用するための適用トレーの第１の実施形態の頂部正面斜視図である。
【図１０】図９の適用トレーの実施形態の頂部背面図である。
【図１１】図９の適用トレーの実施形態の底部背面図である。
【図１２】図９の適用トレーの切断図である。
【図１３】本発明と共に使用するための適用トレーの第２の実施形態の頂部正面斜視図である。
【図１４】図１３の適用トレーの実施形態の底部後面斜視図である。
【図１５】口腔の歯肉内の哺乳類の歯の断面図である。
【図１６】本発明に従って使用される器具の第１の実施形態の断面の断面図である。
【図１７】本発明に従って使用される器具の第２の実施形態の断面の断面図である。
【図１８】本発明に従って使用される器具の第３の実施形態の断面の断面図である。
【発明を実施するための形態】
【００１１】
出願人らは、口腔における顕著な有益効果を達成するために、本発明のシステム及び方法に従って同伴流体を使用することができることを認識した。本発明の特定の実施形態によれば、出願人らは、システムであって、（ａ）第１及び第２の複数のノズルを備える器具であって、ノズルが口腔の１つ又は２つ以上の表面と流体連通している状態で口の中に保持されるように構成された、器具と、（ｂ）流体制御装置と、を備え、第１の複数のノズルを通して、口腔の中へ同伴流体を方向付けることと、第２の複数のノズルを通して、口腔から流体を除去することと、によって、有益効果を達成する、システムにおいて同伴流体を使用することができることを発見した。特定の実施形態では、そのようなシステムは更に、口腔の表面全体にわたって同伴流体を前後に往復運動させるために使用され得る。例えば、流体制御装置は、交互に、（ｉ）器具の第１の複数のノズルを通して同伴流体を方向付ける一方で、同時に真空を第２の複数のノズルに加えて、器具から流体を除去し、（ｉｉ）器具の第２の複数のノズルを通して同伴流体を方向付ける一方で、同時に真空を第１の複数のノズルに加えて、器具から流体を除去するように動作することができる。
【００１２】
特定の他の実施形態によれば、出願人らは、例えば液体／ガスパルス周波数比などの特定のシステムパラメータを使用して、少なくとも１つのノズルを通して、同伴流体を口腔の表面の上へ律動的に送り込むことと関連付けられる、予想外の優れた利益を実証している。これらの及び他の実施形態、並びにそれらと関連付けられる利益は、本明細書において以下に更に記載される。
【００１３】
同伴流体
用語「同伴流体」は、本明細書で使用される場合、広くはガス同伴液体及び液体同伴ガスを指す。当業者によって認識されるように、「ガス同伴液体」は、ガスの微粒子が液体中に分散するように混合されたガス及び液体を指し、一方で、「液体同伴ガス」は、液体の微粒子がガス中に分散するように混合されたガス及び液体を指す。特定の実施形態では、本発明のシステム及び方法は、液体同伴ガスを使用する。特定の他の実施形態では、本発明のシステム及び方法は、ガス同伴液体を使用する。
【００１４】
特定の実施形態によれば、本発明は、ガスの供給源及び液体の供給源から同伴流体を生成するように構成されたシステムを備え、ガスの供給源及び液体の供給源は、別々の供給源であり得るか、又はガス及び液体の単一の流体供給源を形成するように組み合わせられ得る。本発明のガスの供給源及び／又は液体の供給源は、それぞれが、ガス及び／若しくは液体を保持するのに好適なリザーバ、タンク、又は他の容器を含むことができ、又は閉鎖可能なガス及び／若しくは液体のパイプ、ライン、ホース、若しくは他の閉鎖可能なガス及び／若しくは液体の連続源を含むことができる。特定の実施形態では、ガスの供給源及び液体の供給源は、例えばガス及び液体の加圧タンクを含む、ガス及び液体の単一の流体供給源を形成するように組み合わせられる。特定の他の実施形態では、ガスの供給源及び液体の供給源は、リザーバ、タンク、などからなる群から選択される別個のガスの供給源及び液体の供給源である。
【００１５】
例示され、かつ以下に更に詳細に記載されるように、本発明の特定の実施形態によれば、ガス又は液体を他方の中に同伴させて、同伴流体を形成することができ、この同伴流体は、その後に、流体制御装置に口腔と流体連通するノズルを備える器具に導入され、律動的に送り込まれる。例えば、同伴流体は、組み合わせたガスの供給源及び液体から流体制御装置に分注することができ、その後に、同伴流体を器具に分注する。
【００１６】
代替的に、システム内の別々の供給源から提供されるガス及び液体は、本発明に従って組み合わせて、同伴流体を形成することができ、次いで、この同伴流体を器具に導入する。
【００１７】
他の実施形態によれば、以下に更に記載されるように、ガス及び液体は、器具内で組み合わせて同伴流体を形成することができる。例えば、ガス供給源からのガスは、器具へ律動的に送り込まれ得、一方で、液体供給源からの液体は、器具へ流されるか、又は律動的に送り込まれる。同伴流体は、器具内でガス及び液体が組み合わせられたときに形成される。
【００１８】
様々な適切なガス及び液体のいずれかを使用して、本発明に従って使用するための同伴流体を生成することができる。好適なガスの例としては、空気、窒素、アルゴン、二酸化炭素、酸素、亜酸化窒素、一酸化窒素、これらのうちの２種又は３種以上の混合物などが挙げられるが、これらに限定されない。特定の実施形態では、ガスは、空気を含む。特定の実施形態では、ガスは、窒素を含む。
【００１９】
口腔で使用するための同伴流体を生成するのに好適な任意の液体を本発明で使用することができる。特定の実施形態では、液体は、水であるか、又は水を含む。特定の実施形態では、組成物は、約６０％〜約９９．９９％の水、約７０％〜約９５％の水、約８０％〜９５％の水、約６０％〜約９０％の水、約６０％〜約８０％の、又は約６０％〜約７５％の水を含む。特定の実施形態では、液体は、アルコールを含む組成物とすることができる。式Ｒ４−ＯＨ（式中、Ｒ４は、２〜６個の炭素を有するアルキル基）で表される任意の様々なアルコールを本発明の液体に使用することができる。式Ｒ４−ＯＨの好適なアルコールの例としては、エタノール；ｎ−プロパノール、イソ−プロパノール；ブタノール；ペンタノール；ヘキサノール、及びそれらの２種又は３種以上の組み合わせ等が挙げられる。特定の実施形態では、アルコールは、エタノールであるか、又はエタノールを含む。いくつかの実施形態では、アルコールは、全組成物の少なくとも約１０．０％ｖ／ｖ、又は全組成物の約１０％〜約３５％ｖ／ｖ、又は全組成物の約１５％〜約３０％ｖ／ｖの量で組成物中に存在してもよく、全組成物の約２０％〜約２５％ｖ／ｖであってもよい。他の実施形態では、液体組成物は、低濃度のアルコールを含んでもよい。「低濃度」のアルコールなる語句は、Ｒ４−ＯＨアルコールの量が、全組成物の約１０％ｖ／ｖ以下、任意に約５％ｖ／ｖ以下、任意に約１％ｖ／ｖ以下、又は任意に０．１％ｖ／ｖ以下であることを意味する。特定の実施形態では、本発明の組成物は、Ｒ４−ＯＨアルコールを含まない。
【００２０】
特定の実施形態では、液体は、求められる有益効果を提供するのに効果的な少なくとも１つの成分又は薬剤を、口腔の表面と接触したときに有益効果を提供するのに効果的な量で含む組成物である。例えば、液体としては、抗菌剤、白化剤、洗浄剤、鉱化剤、減感剤、及びこれらの２種又は３種以上の組み合わせからなる群から選択される成分が挙げられ得るが、これらに限定されない。
【００２１】
用いられ得る好適な抗菌剤の例としては、メントール、チモール、オイカリプトール、サリチル酸メチル、及びこれらの２種又は３種以上の組み合わせが挙げられるがこれらに限定されない精油、塩化セチルピリジニウム（cetyl pyidium chloride、ＣＰＣ）、クロルヘキシジン、ヘキセチジン、キトサン、トリクロサン、臭化ドミフェン、フッ化第一スズ、可溶性ピロリン酸塩、酸化亜鉛が挙げられるがこれに限定されない金属酸化物、ペパーミント油、セージ油、血根草、二カルシウム二水和物、アロエベラ、ポリオール、プロテアーゼ、リパーゼ、アミラーゼ、クエン酸亜鉛が挙げられるがこれに限定されない金属塩、並びにこれらの２種又は３種以上の組み合わせ、などが挙げられるが、これらに限定されない。
【００２２】
好適な白化剤の例としては、過酸化水素、過酸化カルバミド、歯に塗布されたときに過酸化水素を生成することができる他の薬剤、シリカ、重炭酸ナトリウム、アルミナ、アパタイト、バイオガラスなどの研磨材、及びこれらの２種又は３種以上の組み合わせが挙げられるが、これらに限定されない。特定の実施形態では、液体組成物は、シリカを含む。
【００２３】
任意の様々な追加の界面活性剤を本発明の液体組成物に使用することができる。好適な界面活性剤としては、アニオン性、非イオン性、カチオン性、両性、双性イオンの界面活性剤、及びそれらの２種又は３種以上の組み合わせを挙げることができる。好適な界面活性剤の例は、例えば、参照によりその全体が本明細書に組み込まれる米国特許第７，４１７，０２０号（Ｆｅｖｏｌａら）に開示されている。
【００２４】
特定の実施形態では、本発明の組成物は、非イオン性界面活性剤を含む。当業者であれば、１種又は２種以上の任意の様々な非イオン性界面活性剤には、限定するものではないが、アルキレンオキシド基（本質的に親水性）と、本質的に脂肪族又はアルキル芳香族であり得る有機疎水性化合物との縮合によって生成される化合物が含まれることを認識するであろう。好適な非イオン性界面活性の例としては、これらに限定されるものではないが、アルキルポリグルコシド；アルキルグルコースアミン、エチレンオキシドとプロピレンオキシドとのコポリマーなどのブロックコポリマー、例えばポロキサマー；例えば商標名ＣＲＯＤＵＲＥＴ（Ｃｒｏｄａ  Ｉｎｃ．，Ｅｄｉｓｏｎ，ＮＪ）で市販されているエトキシル化硬化ヒマシ油；アルキルポリエチレンオキシド、例えばポリソルベート、及び／又は；脂肪族アルコールエトキシレート；アルキルフェノールのポリエチレンオキシド縮合物；エチレンオキシドと、プロピレンオキシド及びエチレンジアミンの反応生成物との縮合から誘導される生成物；脂肪族アルコールのエチレンオキシド縮合物；長鎖三級アミンオキシド；長鎖三級ホスフィンオキシド；長鎖ジアルキルスルホキシド；及びこれらの混合物が挙げられるが、これらに限定されない。
【００２５】
例示的な非イオン性界面活性剤は、ポリ（オキシエチレン）−ポリ（オキシプロピレン）ブロックコポリマーとして知られる群から選択される。そのようなコポリマーは市場ではポロキサマーとして知られており、種々のエチレンオキシド含有量を有する広範囲の構造及び分子量で製造されている。非イオン系ポリキサマーは、非毒性で直接食品添加物として許容されるようなものである。これらは水系で安定かつ容易に分散し、口腔用製剤のための種々の製剤及び他の成分と相溶性である。これら界面活性剤は、ＨＬＢ（親水性−親油性バランス）が約１０〜約３０、好ましくは約１０〜約２５でなければならない。例として、本発明において有用な非イオン性界面活性剤は、ポロキサマー１０５、１０８、１２４、１８４、１８５、１８８、２１５、２１７、２３４、２３５、２３７、２３８、２８４、２８８、３３３、３３４、３３５、３３８、４０７、及びそれらの２種又は３種以上の組み合わせとして特定されるポロキサマーを包含する。特定の好ましい実施形態では、組成物はポロキサマー４０７を含む。
【００２６】
特定の実施形態では、請求項に係る発明の組成物は、約９％未満の非イオン性界面活性剤、５％未満、又は１．５％未満、又は１％未満、又は０．８未満、０．５％未満、０．４％未満、又は０．３％未満の非イオン性界面活性剤を含む。特定の実施形態では、本発明の組成物は非イオン性界面活性剤を含まない。
【００２７】
特定の実施形態では、本発明の組成物はまた、少なくとも１つのアルキルサルフェート界面活性剤を含む。特定の実施形態では、適当なアルキル硫酸エステル塩界面活性剤としては、これらに限定されるものではないが、アルキル硫酸エステル塩界面活性剤が偶数のＣ８〜Ｃ１８、場合によりＣ１０〜Ｃ１６の鎖長を有するように炭酸ナトリウム又は水酸化ナトリウム及びこれらの混合物などの適当な塩基性塩で中和された、硫酸化されたＣ８〜Ｃ１８、場合により硫酸化されたＣ１０〜Ｃ１６の偶数の炭素鎖長を有するアルコールが挙げられる。特定の実施形態では、アルキルサルフェートは、ナトリウムラウリルサルフェート、ヘキサデシルサルフェート、及びこれらの混合物からなる群から選択される。特定の実施形態では、市販のアルキルサルフェートの混合物が使用される。特定の実施形態では、アルキルサルフェート界面活性剤は、組成物中に、組成物の約０．００１％〜約６．０％ｗ／ｖ、又は任意に約０．１％〜約０．５％ｗ／ｖで存在する。
【００２８】
別の好適な界面活性剤は、サルコシネート界面活性剤、イセチオネート界面活性剤、及びタウレート界面活性剤からなる群から選択される界面活性剤である。本明細書で用いるのに好ましいのは、ラウロイルサルコシン酸、ミリストイルサルコシン酸、パルミトイルサルコシン酸、ステアロイルサルコシン酸、及びオレオイルサルコシン酸の、ナトリウム塩及びカリウム塩のような、これらの界面活性剤のアルカリ金属塩又はアンモニウム塩である。サルコシネート界面活性剤は、本発明の組成物中に、総組成物の約０．１重量％〜約２．５重量％、又は約０．５重量％〜約２重量％で存在してよい。
【００２９】
本発明で有用な双性イオン性合成界面活性剤としては、脂肪族四級アンモニウム、ホスホニウム、及びスルホニウム化合物の誘導体が挙げられ、その脂肪族基は直鎖又は分枝鎖であってもよく、脂肪族置換基の１つは約８個〜約１８個の炭素原子を含有し、１つは例えばカルボキシ基、スルホネート基、サルフェート基、ホスフェート基、又はホスホネート基のようなアニオン性水溶性基を含有する。
【００３０】
本発明において有用な両性界面活性剤としては、脂肪族ラジカルが直鎖又は分枝状であり得、また脂肪族置換基のうちの１つが約８〜約１８個の炭素原子を含有し、１つがアニオン性水可溶化基、例えば、カルボキシレート、スルホネート、サルフェート、ホスフェート、又はホスホネートを含有する、脂肪族第二級及び第三級アミンの誘導体が挙げられるが、これらに限定されない。好適な両性界面活性剤の例としては、アルキルイミノジプロピオネート、アルキルアンホグリシネート（モノ又はジ）、アルキルアンホプロピオネート（モノ又はジ）、アルキルアンホアセテート（モノ又はジ）、Ｎ−アルキル［３−アミノプロピオン酸、アルキルポリアミノカルボキシレート、リン酸化イミダゾリン、アルキルベタイン、アルキルアミドベタイン、アルキルアミドプロピルベタイン、アルキルスルタイン、アルキルアミドスルタイン、及びこれらの混合物が挙げられるが、これらに限定されない。特定の実施形態では、両性界面活性剤は、アルキルアミドプロピルベタイン、ラウロアンホアセテートナトリウム等のアンホアセテート、及びこれらの混合物からなる群から選択される。上記界面活性剤のうちのいずれかの混合物を使用してもよい。アニオン性、非イオン性、及び両性界面活性剤についてのより詳細な考察は、米国特許第７，０８７，６５０号（Ｌｅｎｎｏｎ）、同第７，０８４，１０４号（Ｍａｒｔｉｎら）、同第５，１９０，７４７号（Ｓｅｋｉｇｕｃｈｉら）、及び同第４，０５１，２３４号（Ｇｉｅｓｋｅら）に見出すことができ、これらの特許のそれぞれは参照によりそれらの全体が本明細書に組み込まれる。
【００３１】
特定の実施形態では、請求項に係る発明の組成物は、約９％未満の両性界面活性剤、５％未満、又は１．５％未満、又は１％未満、又は０．８未満、０．５％未満、０．４％未満、又は０．３％未満の両性界面活性剤を含む。特定の実施形態では、本発明の組成物は両性界面活性剤を含まない。
【００３２】
精油の溶解を助けるために、アルキルサルフェート界面活性剤に追加の界面活性剤を加えてもよく、但し、このような界面活性剤は、精油の生物学的利用能に作用しない。好適な例としては、追加のアニオン性界面活性剤、非イオン性界面活性剤、両性界面活性剤、及びこれらの混合物が挙げられる。しかしながら、特定の実施形態では、本発明の口内洗浄剤の全界面活性剤濃度（アルキルサルフェート界面活性剤単独又は他の界面活性剤との組み合わせを含む）は、約９％を超えるべきではない又は約９％以下であるべきであり、任意に、全界面活性剤濃度は、組成物の重量で約５％以下、任意に約１％以下、任意に約０．５％以下のｗ／ｗ％の活性界面活性剤であるべきである。
【００３３】
特定の実施形態では、糖アルコール（保湿剤）も本発明の口腔組成物に添加される。糖アルコール溶媒は、経口及び摂取可能な製品に従来使用されている、マルチヒドロキシ機能性化合物から選択されてよい。特定の実施形態では、糖アルコールは非代謝性及び非発酵性の糖アルコールであるべきである。具体的な実施形態において、糖アルコールとしては、ソルビトール、グリセロール、キシリトール、マニトール、マルチトール、イノシトール、アリトール、アルトリトール、ダルシトール、ガラクチトール、グルシトール、ヘキシトール、イジトール、ペンチトール、リビトール、エリスリトール、及びこれらの混合物が挙げられるが、これらに限定されない。任意に、糖アルコールは、ソルビトール及びキシリトール又はこれらの混合物からなる群から選択される。いくつかの実施形態では、糖アルコールはソルビトールである。特定の実施形態では、口内洗浄剤又は他の成分の分散又は溶解を効果的に助けるために添加される糖アルコールの総量は、全組成物の約５０％ｗ／を超えるべきではない。又は、糖アルコールの総量は、全組成物の約３０重量体積％を上回ってはならない。又は、糖アルコールの総量は、全組成物の２５重量体積％を上回ってはならない。糖アルコールは、全組成物の約１．０％〜約２４％ｗ／ｖ、又は約１．５％〜約２２％ｗ／ｖ、又は約２．５％〜約２０％ｗ／ｖの量であり得る。
【００３４】
特定の実施形態では、ポリオール溶媒が組成物に添加される。ポリオール溶媒は、ポリハイドリックアルカン（プロピレングリコール、グリセリン、ブチレングリコール、ヘキシレングリコール、１，３−プロパンジオールなど）；ポリハイドリックアルカンエステル（ジプロピレングリコール、エトキシジグリコール）；ポリアルケングリコール（ポリエチレングリコール、ポリプロピレングリコールなど）、及びこれらの混合物からなる群から選択されるポリオール又は多価アルコールを含む。特定の実施形態では、ポリオール溶媒は、組成物の０％〜約４０％ｗ／ｖ、又は約０．５％〜約２０％ｗ／ｖ、又は約１．０％〜約１０％ｗ／ｖの量で存在してもよい。
【００３５】
アスパルテーム、サッカリンナトリウム（サッカリン）、スクラロース、ステビア、アセスルファムＫなどの甘味剤は、風味を良くするために、約０．０００１％ｗ／ｖ〜約１．０％ｗ／ｖの量で添加されてもよい。特定の好ましい実施形態では、甘味剤はスクラロースを含む。
【００３６】
特定の実施形態では、組成物は、組成物の味を修正又は強化するために、又はチモールなどの成分の強い「刺激」又は「火照」を減らす又は覆うために、香味料又は風味剤を更に含む。好適な香味料としては、アニス油などの香味油、アネトール、ベンジルアルコール、スペアミント油、柑橘油、バニリンなどが挙げられ、組み込まれてもよいが、これらに限定されない。風味に更なる変化を与えるために、柑橘油、バニリン等などの他の香味料が組み込まれてもよい。これらの実施形態では、組成物に添加される香味油の量は、全組成物の約０．００１％〜約５％ｗ／ｖ、又は約０．０１％〜約０．３％ｗ／ｖであり得る。使用される特定の香味料又は風味剤、及び他の風味を改善する成分は、所望の特定の風味及び感じに依存して変化する。当業者は所望の結果を得るために成分のタイプを選択し、カスタマイズすることができる。
【００３７】
特定の実施形態では、本発明の組成物に魅力的な色を付与するために、容認できる状態で承認された食用染料を使用してもよい。これらは、限定するものではないが、容認できる食用染料の長いリストから選択することができる。この目的に適した染料として、ＦＤ＆Ｃ黄色５号、ＦＤ＆Ｃ黄色１０号、ＦＤ＆Ｃブルー１号、及びＦＤ＆Ｃグリーン３号が挙げられる。これらは、従来の量で、通常は組成物の約０．００００１％ｗ／ｖ〜約０．０００８％ｗ／ｖ、又は約０．００００３５％ｗ／ｖ〜約０．０００５％ｗ／ｖの個々の量で、添加される。
【００３８】
当該技術分野において知られかつ使用されている成分を含め、他の従来の成分を本発明の液体又は口内洗浄剤組成物の中に使用してもよい。これらの成分の例として、増粘剤、懸濁化剤、及び柔軟剤が挙げられる。本発明の組成物において有用な増粘剤及び懸濁化剤は、本明細書にその全容を参照により援用するところのＰｕｌｌｅｎらに付与された米国特許第５，３２８，６８２号に見ることができる。特定の実施形態では、これらは、組成物の約０．１％ｗ／ｖ〜約０．６％ｗ／ｖ、又は約０．５％ｗ／ｖの量で組み込まれる。
【００３９】
本発明の特定の実施形態では、本発明で使用するための液体は、水と、メントール、チモール、オイカリプトール、サリチル酸メチル、及びこれらのうちの２種又は３種以上の組み合わせからなる群から選択される１つ又は２つ以上の精油と、を含む、液体マウスウォッシュである。特定の実施形態では、液体マウスウォッシュは、水と、４つ全ての精油、メントール、チモール、オイカリプトール、及びサリチル酸メチルと、を含む。特定の実施形態では、液体マウスウォッシュは、少なくとも１つの界面活性剤を更に含む。特定の実施形態では、液体マウスウォッシュは、エタノールを更に含む。特定の実施形態では、液体マウスウォッシュは、エタノールを含まない。
【００４０】
特定の実施形態では、２種以上の液体を本発明のシステム及び方法に使用することができる。例えば、洗浄溶液が口腔に適用され、続いて、例えば白化剤又は抗菌剤を含有する第２溶液が適用されてもよい。溶液はまた、単一の適用によって２つ以上の利益を達成するために複数の薬剤を含み得る。例えば、以下で更に記載されるように、溶液は、洗浄剤及び有害な状態を改善するための薬剤の両方を含み得る。加えて、口腔に２つ以上の有益効果を提供するために、単一の溶液が有効であり得る。例えば、溶液は、口腔を洗浄し、かつ抗菌剤として作用するか、又は口腔を洗浄し、かつ歯を白化する単一の薬剤を含み得る。
【００４１】
器具
ユーザの口腔の１つ又は２つ以上の表面と流体連通する少なくとも１つのノズルと共にユーザの口の中に保持されるように構成された任意の好適な物品、本明細書の器具として使用することができる。特定の実施形態では、使用時に、器具は、その中の少なくとも１つのノズルを通してユーザの口腔に方向付けられた流体制御装置から流体を受容するように機能する。
【００４２】
特定の実施形態では、物品は、第１及び第２の複数のノズルを備え、第１及び第２の複数のノズルがユーザの口腔の１つ又は２つ以上の表面と流体連通している状態でユーザの口の中に保持されるように構成されている。使用時に、器具は、第１の複数のノズルを通して、流体を流体制御装置から口腔の表面の上へ受容し、次いで、第２の複数のノズルを通して、口腔からこの流体を除去することができるように機能する。器具はまた、第２の複数のノズルを通して、流体を流体制御装置から口腔の表面の上へ方向付け、第１の複数のノズルを通して、口腔から除去することができるように構成することもできる。
【００４３】
特定の実施形態では、器具は、マウスピースを備える。少なくとも１つのノズルを備え、本発明に従って流体を口腔の中へ導入するために口の中に保持するように構成された任意の好適なマウスピースを使用することができる。特定の実施形態では、マウスピースは、少なくとも１つのノズルと流体連通する第１のマニホールドを備え、よって、流体制御装置からの流体は、第１のマニホールドの中へ、かつ少なくとも１つのノズルを通して第１のマニホールドから口腔の表面の上へ方向付けることができる。そのような実施形態では、マウスピースは、流体制御装置からの流体が第１のマニホールドに方向付けられる第１のマニホールドと流体連通する第１のポートを更に備えることができる。いくつかのマウスピース実施形態は、本開示において以下に記載される。
【００４４】
特定の実施形態では、マウスピースは、第１及び第２の複数のノズルとそれぞれ流体連通する第１及び第２のマニホールドを備え、よって、流体制御装置からの流体は、第１のマニホールドの中へ、かつ第１の複数のノズルを通して第１のマニホールドから口腔の表面の上へ方向付けることができ、及び／又は流体は、第１の複数のノズルを通して、かつ第１のマニホールドを通して口腔から除去することができる。同様に、流体は、第２のマニホールド及び第２の複数のノズルを通して流体コミュニケータから口腔に方向付けることができ、及び／又は第２の複数のノズル、次いで第２のマニホールドを通して口腔から除去することができる。マウスピースは、第１及び第２のマニホールドとそれぞれ流体連通する第１及び第２のポートを更に含むことができる。
【００４５】
マウスピースは、複数の構成要素で構成することができる。マウスピースは、同伴流体を複数の表面に近接するように維持するためのチャンバ（すなわち、流体接触チャンバ（fluid-contacting-chamber、ＦＣＣ））を含む。「近接する」とは、流体が表面に接触することを意味する。ＦＣＣは、器具の前方内壁及び後方内壁、並びに器具の前方内壁と後方内壁との間に延び、かつこれと一体化した壁又は膜によって、及び特定の実施形態では任意の後方歯肉封止膜によって境界される空間によって画定される。前方内壁及び後方内壁と共に、それらの間に延びる壁がＦＣＣを形成する。流体による均一かつ最適な接触を提供するように歯に適合する、器具の配置に応じて、ＦＣＣの一般的形状は、「Ｕ」又は「ｎ」の形状である。ＦＣＣは、特定の器具に応じて、可撓性又は剛性であり得る。ＦＣＣの前方内壁及び後方内壁は、それぞれ、口腔の複数の表面と接触するように流体が方向付けられる複数の開口部、又はスロット、又はノズルを含む。
【００４６】
快適性を提供し、ユーザの嘔吐反射を最小化するために、大きさ、形状、厚さ、材料、歯／歯肉の周囲に生じる容積、ノズル設計及び配置（これはマニホールド及び歯肉縁部封止と共に口腔及び歯と関連する）と関連して、ＦＣＣ設計が最大有効性のために最適化され得る。上記の組み合わせが、歯及び歯肉領域と同伴流体との有効な接触を提供する。
【００４７】
ＦＣＣは、制御され、かつ隔離又は半隔離された環境、すなわちＦＣＣを提供して、歯及び／又は歯肉領域を同伴流体と接触させ、かつ好ましくは、ＦＣＣから使用済流体並びに食渣、歯垢などを除去する。ＦＣＣはまた、例えば、十分な洗浄を提供するためにかなりの流量が必要であるときに、個々のノズルを溺水させることなく、流体の流量及び圧力の増加を可能にする。ＦＣＣはまた、必要な場合、流体の量及び流量の低減も可能にするが、これは、口腔全体ではなく、ＦＣＣ内部の領域のみが流体と接触しているためである。ＦＣＣはまた、歯及び歯肉領域上、これらを通して、及びこれらの周囲の同伴流体との接触の制御された送達及び持続時間を可能にし、流体と接触する領域上の流体のより高い濃度を可能にし、それによって、同伴流体のより有効な制御及び供給を提供する。
【００４８】
装置は、これが口の中で正しい位置にあるときのみ動作することを可能にする、スイッチ機構を組み込んでもよい。いくつかの実施形態では、器具は、口腔の複数の表面と同伴流体との実質的に同時の接触を提供するために、上方区分及び下方区分の両方を含み得る。
【００４９】
同伴流体が方向付けられる器具の内壁内に収容される、本明細書ではノズルとも称される開口部の数及び場所は、様々であり、かつ使用の状況及び環境、具体的なユーザ、並びに求められている有益効果に基づいて決定される。開口部の断面形状は、円形、楕円形、台形、又は口腔表面と流体との効果的な接触を提供する他の任意の形状を提供する他の形状であり得る。開口部の場所及び数は、所望の有益効果を提供するために有効な様々な噴霧パターンで、同伴流体のジェットを方向付けるように設計することができる。特定の実施形態では、開口部直径は、有効な洗浄、並びに平均ジェット速度及びカバレッジを提供するために、約０．１〜約３ｍｍ、又は約０．３５ｍｍ〜約０．８ｍｍ、又は約０．５ｍｍであり得る。同時ジェットのためのノズルの数は、１〜５００又は１００〜３００とすることができる。ノズル間の水平間隔又は距離は、０．５ｍｍ〜２５ｍｍ、又は１ｍｍ〜１０ｍｍ、又は３ｍｍとすることができる。平均ジェット速度は、約０．５ｍ／ｓ〜約１００ｍ／ｓ又は約１ｍ／ｓ〜約５０ｍ／ｓである。ノズルカバレッジは、約１ｍｍ２〜約２０ｍｍ２、又は約１ｍｍ２〜約１０ｍｍ２、又は約１ｍｍ２〜約５ｍｍ２の範囲である。各ノズルからの各パルスの容積は、約０．１マイクロリットル〜約５ｍｌ、又は約０．１マイクロリットル〜約１ｍｌ、又は約５マイクロリットル〜約１００マイクロリットルである。
【００５０】
口腔と同伴流体とが接触する場合、最適な開口部の配置及び方向／角度は、歯間、頂部、側部、後部、及び歯肉ポケット表面が挙げられるが、これらに限定されない、領域内の実質的に全ての歯の表面のカバレッジを可能にする。別の実施形態において、開口部は、異なる洗浄、カバレッジ及びスプレーパターンを提供するために、速度、密度及びファンパターン（完全な円錐、扇型、部分的円錐、ジェット）を調節するために、又は配合物を考慮して、異なる寸法及び異なる形状であり得る。ノズルはまた、管状に設計されてもよく、及び／又はＦＣＣ膜から延びて、方向付けられたスプレーを提供してもよく、又はホーススプリンクラーシステムと同様に歯にわたって拡張したカバレッジを提供するためにスプリンクラー様の機構として機能してもよい。ノズルは、好ましくは、ＦＣＣ膜の内壁と一体であり、任意の数のアセンブリ又は当該分野において既知の形成技術によって内壁内に組み込まれ得る（機械加工、射出成型などを通じて膜内にインサート成型される）。
【００５１】
ＦＣＣは、エチレン酢酸ビニル（ethylene vinyl acetate、ＥＶＡ）、熱可塑性エラストマー（thermoplastic elastomer、ＴＰＥ）、又はシリコーンなどのエラストマー材料であってもよく、内壁の移動を可能にし、最小限の機械的構造でより大きいジェットカバレッジエリアを提供し、最適な性能を達成するための体積流量要件を低減する一方で、歯と直接接触した際に歯を保護するためにより柔軟でより可撓性の材料を提供する。可撓性膜はまた、その歯に適合する能力のために、広範なユーザにとって許容可能な嵌合具を提供し得る。あるいは、ＦＣＣは、剛性又は半剛性の材料（例えば、限定されないが熱可塑性樹脂）で作製され得る。
【００５２】
代替の実施形態では、ＦＣＣはまた、研磨要素、例えば、フィラメント、テクスチャ、磨き要素、添加物（シリカなど）、他の洗浄及び／又は処理要件、加えて限定されないが処理、洗浄、及び配置のために歯とＦＣＣとの間の最小限の距離を保証するために使用され得る他の形状要素を含む。
【００５３】
ＦＣＣは、限定されないが、機械加工、射出成型、吹込み成形、押出成形、圧縮成型、及び／又は真空成型などの、様々な方法により作成され得る。これはまたマニホールドと共に作成されつつマニホールド回路をＦＣＣ内に組み込む及び／又はマニホールド上にオーバーモールドされて最小アセンブリで一体構成を提供し得る。
【００５４】
一実施形態では、ＦＣＣは、別個に作製されて、その後、接着剤、エポキシ、シリコーン、ヒートシール、超音波溶接、及び熱接剤を含む、任意の数の組み立て及び封止技術を使用して、マニホールドに組み立てられてもよい。ＦＣＣは、マニホールドと組み立てた際に、いかなる追加の構成要素も用いずに好ましいデュアルマニホールド設計を効果的かつ効率的に作成するような方法で設計される。
【００５５】
特定の実施形態では、ＦＣＣは、歯肉封止領域を作成するように設計又は使用され得る。特定の実施形態では、ＦＣＣ内に真空が印加されるが、これはマウスピースとの係合を改善して口腔内で歯肉との正の封止を形成する。他の実施形態では、口腔内でＦＣＣの外側に圧力が印加されるが、これは器具の係合を改善し、口腔内で歯肉との正の封止を形成する。更に他の実施形態において、特定のユーザに関して口腔内に挿入された際にカスタム再使用可能な弾力的封止を提供するために、最初の使用中にマウスピースの周囲に義歯様接着剤が適用され得る。これはその後、歯肉に対し及び以降の用途において、適合しかつ正の封止を提供するために弾性的に剛性となる。別の実施形態において、封止は適用され及び／又は各使用の後に交換又は処分され得る。
【００５６】
マウスピースはまた、同伴流体を収容し、かつ前方内壁の開口部を通してその流体をＦＣＣに提供するための第１のマニホールドと、同伴流体を収容し、かつ後方内壁の開口部を通してその流体をチャンバに提供するための第２のマニホールドと、を含む。この設計は、どの操作が行われているかによって、多くの異なる選択肢を提供する。例えば、洗浄動作において、同伴流体のジェットをＦＣＣ内に、歯に直接、ＦＣＣの一方の側部から第１のマニホールドから供給し、その後、歯の周囲の流体を、ＦＣＣの他方の側部から第２のマニホールドへと排出し／引き、制御された歯間、歯肉ライン、及び表面の洗浄を提供することが好ましい場合がある。ＦＣＣの一方の側部からのこの流れは、パルシング作用で何回も繰り返すことができ、その後、流れを逆転させて、ある期間及び／又は多数のサイクルにわたって、第２のマニホールドから同伴流体のジェットを送達し、歯の裏側を通して第１のマ ニホールド内へと流体を排出する／引く。このような流体作用は、乱流の、反復可能の及び可逆の流れを生じ、したがって口腔表面付近で流体の往復運動を提供する。例えば、流体制御装置は、交互に、（ｉ）器具の第１の複数のノズルを通して同伴流体を方向付ける一方で、同時に真空を第２の複数のノズルに加えて、器具から流体を除去し、（ｉｉ）器具の第２の複数のノズルを通して同伴流体を方向付ける一方で、同時に真空を第１の複数のノズルに加えて、器具から流体を除去するように、動作することができる。用語「流体の往復移動」及び「流体の往復運動」は、本明細書では互換的に使用される。本明細書において使用するとき、双方の用語とも、哺乳類の口腔表面にわたって、第１の流れ方向から第１の流れ方向と反対の第２の流れ方向へと、同伴流体の流れ方向を前後に変更することを意味する。
【００５７】
代替の実施形態では、マニホールドは、同じジェットのセットを通して同時に同伴流体の押し引きを提供する、単一マニホールド設計とすることができ、又は洗浄及び流体処理の流体の送達供及び除去の更に高い制御を提供、任意の数のマニホールド区画とすることができる。複数マニホールドにおいてまた、専用供給及び除去マニホールドを有するように設計され得る。マニホールドは、ＦＣＣと一体であるように、及び／又はその内部にあるように設計され得る。
【００５８】
マニホールドの材料は、半剛性熱可塑性樹脂であり、これは流体の制御された流れの間に崩壊又は破裂しないために必要な剛性を提供するが、ユーザの口内に嵌合する際に一定の可撓性を提供する。製作の複雑性、構成要素の数、及び金型費用を最小化するため、ＦＣＣと共に組み立てるときにデュアルマニホールドが作成される。マニホールドはまた、適合性のある熱可塑性エラストマー（ＴＰＥ）が挙げられるがこれらに限定されない、より低いジュロ硬度のエラストマー材を使用し、歯／歯肉に、より柔軟な外側の「感触」を提供するために多成分であってもよい。マニホールドは、例えば、機械加工、射出成形、吹込み成形、圧縮成形及び／又は真空成形などだが、これらに限定されない、様々な方法により作成され得る。
【００５９】
示されるように、器具はまた、流体を第１のマニホールドに及びマニホールドから移送するための第１のポートと、流体を第２のマニホールドに及びマニホールドから移送するための第２のポートと、口腔内の方向付け手段の有効な封止（すなわち、歯肉封止）を提供するための手段と、を含む。特定の実施形態では、第１及び第２のポートは、第１及び第２のマニホールドに及びマニホールドから流体を移送し、かつ流体を器具に提供するための手段に器具を取り付ける役割を果たし得る。
【００６０】
上で述べたように、及び以下に更に詳細に記載されるように、特定の実施形態では、本発明のシステムは、液体及び／又はガスの２つの供給源を組み合わせて、流体制御装置とノズルとの間に、例えばマニホールドの１つ又は２つ以上及び／又は器具のポートの前又はその中に、同伴流体を形成するように構成されている。特定のそのような実施形態では、器具は、マニホールド及び／又はポートを備え、これらは、（ａ）少なくとも１つのノズルに方向付けられた流体制御装置から律動的に送り込まれたガスを受容し、かつ（ｂ）別々の液体をマニホールド及び／又はポート内でパルスと組み合わせて、少なくとも１つのノズルに方向付けられた同伴流体を形成することを可能にするように構成されている。
【００６１】
流体制御装置
本発明に従って流体を器具の少なくとも１つのノズルに方向付けるための好適な任意の流体制御装置を本明細書で使用することができる。一般に、流体制御装置は、流体を受容及び移送することができる１つ又は２つ以上の入口、通路、及び／又は導管などを備えて、特許請求される発明の所望の機能、例えば、流体供給源から流体を受容すること、及び／又は器具の少なくとも１つのノズルに流体を方向付けること、及び／又は器具から流体を除去すること、を達成することができる。特定の実施形態では、流体制御装置は、論理回路及び／又は機械的に制御された回路を備える、又は別様にそれらによって制御することができる。特定の実施形態では、流体制御装置は、限定されないが、再充電可能であるか使い捨てであるかにかかわらず、プラグ、電池、などを通して提供される電気などの、電源を備える、又は別様にそれによって給電することができる。
【００６２】
特定の実施形態では、流体制御装置は、往復式流量制御装置を備える。一般に、往復式流量制御装置は、流体の流れを器具の異なる部分に交互させて、口腔の中で１つ又は２つ以上の表面にわたる流体の流れを往復運動させることを可能にするように設計される。例えば、特定の実施形態では、往復式流量制御装置は、流体を第１のマニホールドに、かつ器具の少なくとも第１のノズルを通しての第１の方向に口腔の中へ方向付ける第１の位置と、流体を第２のマニホールドに、かつ器具の少なくとも第２のノズルを通して第２の方向に口腔の中へ方向付ける第２の位置と、を有することができる。往復式流量制御装置は、これらの２つの位置の間を交互させて、器具内の流体の流れを交互させ、それによって、器具内の口腔の表面にわたって流体を往復運動させることができる。本開示では、いくつかの往復式流量制御装置の実施形態を以下に記載する。
【００６３】
装置／システム
特定の実施形態では、本発明の装置は、液体、ガス、又は液体／ガス配合物を収容するためのリザーバに装置を取り付けるか又は接続するための手段を含み得る。リザーバは装置に取り外し可能に取り付けられ得る。この場合は、リザーバ及び装置は、一方を他方に取り付けるための手段を含み得る。プロセスの完了後、リザーバは廃棄されて別のリザーバと交換されてもよく、又は再充填されて再使用されてもよい。他の実施形態では、装置は、装置と一体のリザーバを含む。装置を基部ユニットに取り付けることができる実施形態では、本明細書に記載するように、リザーバは、装置と一体であるか又は装置に取り外し可能に取り付けられるかにかかわらず、基部ユニットの一部を形成する供給リザーバから充填され得る。基部ユニットが使用される場合、装置及び基部ユニットは、一方を他方に取り付けるための手段を含む。
【００６４】
装置は、装置の１つ又は２つ以上の構成要素に給電するための電源を含む。例えば、電池（再充電可能又は使い捨て）などの電源が、装置内（例えば、装置のハンドル内）に収容され得る。基部ユニットが用いられる場合、基部は、電源を含み得る。他の実施形態では、基部ユニットは、装置内に収容される電池を再充電するための充電器を含み得る。別の実施形態では、加圧カートリッジの形態などの圧縮ガスが、装置の１つ又は２つ以上の構成要素に給電するための電源として使用され得る。カートリッジは、１回又は２回以上の使用後に使い捨てることができ、又はその後の使用のために再加圧することができる。
【００６５】
特定の実施形態では、本発明の装置は、取り外し不可能な装置の一部としての器具を含む。他の実施形態では、器具は、１つ又は２つ以上のコネクタを介して装置に取り外し可能に取り付けられる。そのような実施形態では、複数のユーザが、装置と共に別々の器具を取り付け、それら自体を使用することができる。
【００６６】
本明細書において使用するとき、「流体を移送するための手段」は、本発明によるシステム全体にわたって液体、ガス、又は同伴流体を移動又は輸送させ得る構造を含み、限定されないが、通路、導管、管、ポート、ポータル、チャネル、ルーメン、パイプ、及びマニホールドが挙げられる。流体を移送するためのそのような手段は、同伴流体の往復運動を提供する装置及び口腔の表面の上へ及びその周囲に同伴流体を方向付けるための手段に利用され得る。そのような移送手段はまた、リザーバが往復運動手段を収容する手持ち式装置内に収容されているか、基部ユニットに収容されているかにかかわらず、ガス、液体、又は同伴流体を収容するためのリザーバから、流体を方向付け手段に提供し、かつガス、液体、及び／又は同伴流体を往復運動手段に提供する。移送手段はまた、液体又はガスを基部ユニットから手持ち式装置内に収容されたリザーバに提供する。例えば、ヒトなどの哺乳類の口腔に有益効果を提供するために有用な方法、装置及びシステムが、本明細書において記載される。
【００６７】
方法は、口腔の複数の表面を、所望の有益効果を口腔に提供するために有効な同伴流体と接触させることを含む。そのような方法では、口腔の複数の表面にわたる同伴流体の往復運動が、所望の有益効果を口腔に提供するために有効な条件下で提供される。複数の表面の、同伴流体との接触は、実質的に同時に実行することができる。実質的に同時とは、口腔の複数の表面の全てが、同伴流体によって必ずしも同時に接触されるわけではないが、それらの表面の大部分が、同時に、又は短期間のうちに接触して、全ての表面が同時に接触する場合の効果と同様の、全体的効果を提供することを意味する。
【００６８】
口腔内に所望の有益効果を提供するための条件は、特定の環境、状況、及び求められる効果によって変化し得る。それらの種々の変数は、それらが、同伴流体の特定の速度を生じさせるという点で、相互依存的である。速度要件はいくつかの実施形態において配合の関数であり得る。例えば、粘度、添加物（例えば、研磨剤、ずり減粘剤など）、及び配合物の一般的な流量特性の変化により、同じレベルの有効性を生成するためのジェットの速度要件は変化し得る。求められる特定の有益効果を達成するための適切な条件を提供するために検討され得る要因としては、非限定的に、同伴流体ストリームの速度及び／又は流量及び／又は圧力、同伴流体のパルセーション、同伴流体のスプレー形状又はスプレーパターン、同伴流体の温度及び流体の往復運動周期の周波数が挙げられる。いくつかの実施形態では、流体流量（全ノズル／同時パルスの合計）は、約０．１マイクロリットル〜約１５ｍｌ、又は約０．１マイクロリットル〜約５ｍｌとすることができる。
【００６９】
この開示の利点を理解した当業者であれば、特定の状況及び求められる所望の利益によって、様々な要因が調節及び選択され得ることを認識するであろう。
【００７０】
例えば、歯垢の形成、食物微粒子、バイオフィルムなどの除去又は分解など、洗浄によって口腔の口内衛生を一般的に改善することに加えて、本発明は口腔内の有害な状態を改善し、口腔の美的外観を改善する（例えば、歯の白化）ために有用である。有害な状態としては、非限定的に、虫歯、歯肉炎、炎症、歯周病と関連する症状、口臭、歯の感度、及び菌感染などを挙げることができる。液体自体は様々な形態であり得るが、本発明の装置及び方法における使用に好適な流動特性を有することが条件となる。例えば、液体は、溶液、エマルション及び分散液からなる群から選択され得る。特定の実施形態において、液体は、液相（例えば、水相）中に分散した微粒子（例えば、研磨剤）を含み得る。そのような場合、研磨剤は、口腔表面に適用されるために水相中に実質的に均一に分散されることになる。他の実施形態において、水中油型、又は油中水型エマルションが使用され得る。そのような場合、液体は場合によって、連続的な水相中に実質的に均一に分散した非連続的な油相、又は連続的な油相中に実質的に均一に分散した非連続的な水性相を含む。更に他の実施形態において、液体は、薬剤がキャリア中に溶解しているか又はキャリア自体が所望の有益効果を提供するための薬剤とみなされ得る（例えば、通常内部に他の薬剤が溶解しているアルコール又はアルコール／水混合物）溶液であり得る。
【００７１】
例えば、家庭用の用途に好適であり、歯及び／又は歯肉領域の複数の表面上に同伴流体パルスを方向付けるように適合された歯科用洗浄装置などの口腔ケア装置を含むシステムなどのシステム、加えてこのようなシステムを利用する方法が本明細書において開示される。特定の実施形態では、口腔表面は、流体によって実質的に同時に接触される。本明細書において使用するとき、歯肉領域への言及は、非限定的に、歯肉縁下部ポケットへの言及を含む。口腔の洗浄及び／若しくは美的外観の全般的な改善、並びに／又は歯及び／若しくは歯肉領域の有害な状態の改善を提供するために有効な条件下で、適切な同伴流体が、往復作用で歯及び／又は歯肉領域の複数の表面上に、実質的に同時に方向付けられることにより、歯及び／又は歯肉領域の口腔衛生の全般的な改善が提供される。例えば、１つのそのような装置は、適切な洗浄同伴流体を使用して、歯の前面及び裏面、並びに隣接歯間領域にわたって、前後に同伴流体を往復させることにより、洗浄周期を作り出すと共に、使用される洗浄液の量を最小限に抑えることによって、歯及び／又は歯肉領域を洗浄して歯垢を除去する。
【００７２】
本発明のシステムは、同伴流体パルスの往復運動を提供する装置を備え、この装置は、流体の往復運動を制御するための手段を含む。制御手段は、同伴流体を口腔の複数の表面上に方向付けるための手段へ、また、その手段から同伴流体を移送するための手段を含む。特定の実施形態では、同伴流体の往復運動を提供するための手段は、流体を受容及び／又は排出するための複数のポータル、流体が移送される複数の通路又は導管、及び流体の往復運動を提供するために流体の流れ方向を変えるための手段を含む。制御手段は、論理回路及び／又は機械的に制御された回路によって制御され得る。
【００７３】
特定の実施形態では、往復運動を提供するための装置は、液体、ガス、又は液体／ガス配合物を収容するためのリザーバに装置を取り付けるか又は接続するための手段を含み得る。リザーバは装置に取り外し可能に取り付けられ得る。この場合は、リザーバ及び装置は、一方を他方に取り付けるための手段を含み得る。プロセスの完了後、リザーバは廃棄されて別のリザーバと交換されてもよく、又は再充填されて再使用されてもよい。他の実施形態において、往復運動する装置は装置と一体のリザーバを含む。装置を基部ユニットに取り付けることができる実施形態では、本明細書に記載するように、リザーバは、装置と一体であるか又は装置に取り外し可能に取り付けられるかにかかわらず、基部ユニットの一部を形成する供給リザーバから充填され得る。基部ユニットが使用される場合、装置及び基部ユニットは、一方を他方に取り付けるための手段を含む。
【００７４】
装置は、同伴流体を往復運動させるための手段を駆動するための電源を備える。例えば、電池（再充電可能又は使い捨て）などの電源が、装置内（例えば、装置のハンドル内）に収容され得る。基部ユニットが利用され得る場合、基部は装置に電力を提供するための手段を含み得る。他の実施形態において、基部ユニットは、装置内に収容される再充電可能な電池を再充電するための手段を含み得る。別の実施形態では、加圧カートリッジの形態などの圧縮ガスが、装置の１つ又は２つ以上の構成要素に給電するための電源として使用され得る。カートリッジは、１回又は２回以上の使用後に使い捨てることができ、又はその後の使用のために再加圧することができる。
【００７５】
同伴流体の往復運動を提供するための装置は、口腔の複数の表面に同伴流体を方向付けるための手段（例えば、アプリケータ又はマウスピースなどの器具）に装置を取り付けるための手段を含む。いくつかの実施形態では、この方向付け手段は、口腔の複数の表面の、流体との実質的に同時の接触を提供する。取り付け手段は、アプリケータを装置に取り外し可能に取り付けることができる。そのような実施形態では、複数のユーザが、自分の器具を往復運動手段を備える単一の装置と共に使用し得る。他の実施形態では、取り付け手段は、取り外し不可能な取り付けを器具に提供することができ、それによって、器具は、装置の一体部分である。上記の往復運動を提供するための装置は、同様に他の装置構成要素を収容するハウジング内に収容されてもよく、本明細書において以下に記載される方向付け手段に同伴流体を提供するために好適な手持ち式装置を提供する。
【００７６】
図１は、本発明によるシステムの第１の実施形態の概略図である。この図は、システム１０を示し、このシステムは、流体供給リザーバ２０と、往復式流量制御装置４０と、流体を口腔の複数の表面の上へ方向付けるための手段（器具５０）と、システム全体にわたって流体を移送するための管２２、４２、及び４４と、を含む、構成要素を有する。
【００７７】
管２２は、リザーバ２０から往復式流量制御装置４０へと流体を移送する。管４２及び４４は、往復式流量制御装置４０から器具５０へと流体を移送する。管４２は、器具５０の第１の側部５２に流体を移送する一方で、管４４は、器具５０の第２の側部５４に流体を移送する。
【００７８】
この実施形態では、流体供給リザーバ２０は、同伴流体を含む。流体は、往復式流量制御装置４０に、更に器具５０に送達するのに十分な圧力下であり得る。他の実施形態では、ピストンポンプ又は回転ポンプなどのポンプを、流体供給リザーバ２０と往復式流量制御装置４０との間に位置付けて、往復式流量制御装置４０に、更に器具５０に流体を送達するのに十分な圧力を供給することができる。
【００７９】
流体供給リザーバ２０は、ガラス、プラスチック、又は金属で作製され得る。流体供給リザーバ２０は、システム１０と一体であり、かつ再充填可能とすることができる。いくつかの実施形態では、流体供給リザーバ２０は、交換可能な流体供給源、例えば、システム１０に取り外し可能に接続された単回又は複数回使用カートリッジであり得る。
【００８０】
いくつかの実施形態では、流体供給リザーバ２０及び／又は管２２、４２、及び４４は、口腔の表面への適用のために器具５０の中へ方向付ける前に、流体を予熱するための熱源を含み得る。温度は使用中にユーザに有効性及び快適性を提供するために効果的な範囲内に維持されるべきである。
【００８１】
本明細書において以下で詳細に論じる器具５０は、管４２、４４、及び更なる取り付け手段（図示せず）により往復式流量制御装置４０と一体であり得るか、又は取り外し可能に接続され得る。これは食物微粒子を捕捉するための容易に洗浄可能なフィルタを内部に有し得る。口腔内、例えば歯及び歯肉周囲に位置付けられたとき、器具５０は、歯肉に対して有効な嵌合又は封止を形成することができ、流体を口腔の表面（例えば、歯の表面）に対して方向付けるための手段を含む。
【００８２】
流体供給リザーバ２０内の同伴流体は、管２２を通って往復式流量制御装置４０へと流れる。背圧によるコントローラ４０からリザーバ２０への流体の逆流を可能にすることを防止するために、一方向流れ弁が管２２内に存在し得る。同伴流体は、流量制御装置４０の流れ方向設定に応じて、管４２又は４４のいずれかを通って往復式流量制御装置４０から器具５０へと流れる。
【００８３】
洗浄動作時に、システム１０は、一連の同伴流体パルスを器具５０内に生成する。いくつかの実施形態では、流量制御装置４０は、一連の同伴流体パルスを生じさせる。他の実施形態では、同伴流体パルスは、管２２、４２、又は４４のいずれかに位置付けられた制御装置によって生成される。
【００８４】
システム１０の作用は、論理回路によって制御され得、論理回路は、往復運動サイクルを開始するためのプログラムと、往復運動サイクルを実行するためのプログラム（すなわち、流体を歯の周囲で往復運動させ、それによって口腔に有益効果、例えば歯の洗浄を提供する）と、往復運動サイクルの終了時、及び使用の合間又は予め設定された時間若しくは自動洗浄時間にシステムを洗浄するための自己洗浄サイクルの終了時に器具５０を内容排出するためのプログラムと、を含み得る。
【００８５】
示されないが、一連のスイッチ及びインジケータライトを有するフェースパネルが、システム１０内に組み込まれてもよい。スイッチとしては、ＯＮ／ＯＦＦスイッチ、往復運動プログラムの実行スイッチ、システム１０の内容排出スイッチ、及びシステム１０の洗浄スイッチを挙げることができるが、これらに限定されない。インジケータライト、又はディスプレイライトは、電源投入、充電、往復運動プログラムの実行、システム内容排出、洗浄結果又はフィードバック、及び操作中の自己洗浄サイクルを含むがこれらに限定されない。器具５０の中へ方向付ける前に流体を予熱する実施形態では、ディスプレイライトは、流体が使用に適切な温度であることを示すために使用され得る。
【００８６】
歯を洗浄するためにシステム１０を使用する１つの方法は以下のとおりである。第１の工程では、ユーザは、器具５０を口腔内の歯及び歯肉領域の周囲に位置付ける。本発明によるシステムの使用において、ユーザはスタートボタンを押して洗浄プロセスを開始する。洗浄プロセスは、以下のとおりである。
１．システム１０を起動して、管２２、往復式流量制御装置４０、及び管４２を介して、リザーバ２０から器具５０への同伴流体パルスの分注を開始する。同伴流体を使用して、器具５０の第１の側部５２から歯及び歯肉領域を洗浄する。
２．次いで、往復式流量制御装置４０を起動して、流体の流れを管４２から管４４へと変える。同伴流体のパルスを使用して、器具５０の第２の側部５４から歯及び歯肉領域を洗浄する。
３．洗浄流体を往復運動させるために、工程１及び工程２を繰り返して、同伴流体パルスを使用して、第１の側部５２から、次いで器具５０の第２の側部５４からそれぞれ歯及び歯肉領域を洗浄する。
４．記載されている往復運動サイクルを、洗浄のために必要とされる時間が経過するまで、又は所望のサイクル数が完了するまで継続する。
【００８７】
工程１と工程２との間には（一方向又は双方向において）遅延が存在する場合があり、流れを伴わずに流体が歯と接触することを可能にする滞留時間を可能にすることに留意されたい。
【００８８】
この実施形態では、同伴流体は、歯及び歯肉表面と接触すると口腔の中へ分散する。他の実施形態では、同伴流体の液体部分は、管を介して再度リザーバ２０へと方向付けて、現在又は将来の洗浄プロセスで再使用するか、又は廃棄するように方向付けることができる。
【００８９】
図２は、本発明によるシステムの第２の実施形態の概略図である。この図は、システム１００を示し、このシステムは、液体供給リザーバ１２０と、ガス供給リザーバ１３０と、往復式流量制御装置１４０と、器具１５０と、真空ポンプ１８０と、システム全体にわたって流体を移送するための管１２２、１３２、１４２、１４４、１８２、及び１８４と、を含む、構成要素を有する。
【００９０】
管１３２は、ガスリザーバ１３０から往復式流量制御装置１４０へとガスを移送する。管１２２は、液体リザーバ１２０から管１３２へと液体を移送する。管１４２及び１４４は、往復式流量制御装置１４０から器具１５０へと同伴流体を移送する。管１４２は、器具１５０の第１の側部１５２へと流体を移送する一方で、管１４４は、器具１５０の第２の側部１５２へと流体を移送する。
【００９１】
この実施形態では、同伴流体は、往復式流量制御装置１４０の前に、管１２２と管１３２との交差点で生じる。ガスリザーバ１３０は、同伴流体を往復式流量制御装置１４０に、更には器具１５０に送達するのに十分な圧力下であり得る。いくつかの実施形態では、液体リザーバ１２０は、液体を管１２２と管１３２との交差点に送達するのに十分な頭部圧力などの圧力下であり得る。他の実施形態では、ポンプは、液体を管１２２と管１３２との交差点に送達するために、液体リザーバ１２０と管１２２及び１３２との交差点に位置付けることができる。
【００９２】
いくつかの実施形態では、ベンチュリ効果を使用して、液体をガスストリーム中に同伴させる。ベンチュリ効果は、流体の流れが制限されたときに部分的な真空を生じ、その流速を高める。この実施形態では、ガス管１３２は、ある地点で狭くなり、その後に再度広くなる。液体管１２２は、ガス管１３２の狭窄部分に取り付けられ、液体管１２２内の液体は、ガス管１３２の中へ引き出され、ガス中に同伴される。
【００９３】
この実施形態では、同伴流体は、歯及び歯肉表面と接触すると、気相と液相とに分離する。気相は、主に口腔の中へ分散する一方で、液相は、部分的又は完全に再度捕捉される。管１８２は、真空ポンプ１８０を往復式流量制御装置１４０に接続する。ポンプ１８０は、負圧を生じさせ、この負圧は、往復式流量制御装置１４０を通して器具１５０から液体を引き戻し、管１８４を介して液体を再度液体リザーバ１２０へ送達する。
【００９４】
液体供給リザーバ１２０内の液体は、管１２２を通って管１２２及び１３２の交差点へと、及び往復式流量制御装置１４０へと流れる。背圧によるリザーバ１２０への液体の逆流、又はリザーバ１３０へのガスの逆流をそれぞれ防止するために、管１２２及び／又は管１３２内に一方向流れ弁が存在し得る。同伴後に、同伴流体は、往復式流量制御装置１４０へと流れ、次いで流量制御装置１４０の流れ方向設定に応じて、往復式流量制御装置１４０から管１４２又は管１４４のいずれかを通って器具１５０へと流れる。
【００９５】
洗浄動作では、システム１００は、一連の同伴流体パルスを器具１５０内に生成する。いくつかの実施形態では、流量制御装置１４０が一連の同伴流体パルスを生じさせる。他の実施形態では、同伴流体パルスは、管１２２、１３２、１４２、又は１４４のいずれかに位置付けられたコントローラによって生成される。
【００９６】
システム１００を使用して歯を洗浄する１つの方法は、以下のとおりである。第１の工程で、ユーザが、歯及び歯肉領域の周囲の口腔に器具１５０を位置付ける。本発明によるシステムの使用において、ユーザはスタートボタンを押して洗浄プロセスを開始する。洗浄プロセスは、以下のとおりである。
１．システム１００を起動して、往復運動で、液体リザーバ１２０からの液体及びガスリザーバ１３０からのガスの、管１２２及び１３２の交差点、往復式流量制御装置１４０、次いで管１４２を介した器具１５０への分注を開始する。同伴流体パルスを使用して、器具１５０の第１の側部１５２から歯及び歯肉領域を洗浄する。同伴流体は、ガス相及び液相に分離する。
２．液体が、管１４４を介して往復式流量制御装置１４０に戻り、管１８２を介してポンプ１８０へと流れ、管１８４を介して液体リザーバ１２０に戻る。
３．次いで、往復式流量制御装置１４０を起動して、流体の流れを管１４２から管１４４へと変える。同伴流体パルスを使用して、器具１５０の第２の側部１５４から歯及び歯肉領域を洗浄する。
４．液体が、管１４２を介して往復式流量制御装置１４０に戻り、管１８２を介してポンプ１８０へと流れ、管１８４を介して液体リザーバ１２０に戻る。
５．洗浄流体を往復運動させるために、工程１〜工程４を繰り返して、同伴流体パルスを使用して、第１の側部１５２から、次いで、器具１５０の第２の側部１５４からそれぞれ歯及び歯肉領域を洗浄する。
６．記載されている往復運動サイクルを、洗浄のために必要とされる時間が経過するまで、又は所望のサイクル数が完了するまで継続する。
【００９７】
この実施形態では、同伴流体の液体部分は、管１８２を介して再度液体リザーバ１２０へと方向付けて、現在又は将来の洗浄プロセスで再使用する。他の実施形態では、ポンプ１８０は、使用済液体を廃棄するように方向付けることができる。
【００９８】
いくつかの実施形態では、同伴流体は、往復式流量制御装置１４０から器具１５０の第１の側部１５２へと送達される一方で、同時に真空ポンプ１８０によって器具１５０の第２の側部１５４から引き出される。往復式流量制御装置１４０を起動して、流体の流れを管１４２から管１４４へと変えると、同伴流体を往復式流量制御装置１４０から器具１５０の第２の側部１５４へと送達する一方で、同時に真空ポンプ１８０によって器具１５０の第１の側部１５２から引き出すことができる。
【００９９】
１８０は、「真空ポンプ」と称されるが、１８０はまた、往復式流量制御装置１４０から液体リザーバ１２０への圧力降下を生じさせるための他の装置又は方法にも使用され得ることに留意することが重要である。ベンチュリ効果又は温度降下を生成する装置が挙げられる。
【０１００】
図３は、本発明によるシステムの第３実施形態の概略図である。この図は、システム２００を示し、このシステムは、液体供給リザーバ２２０と、ガス供給リザーバ２３０と、往復式流量制御装置２４０と、器具２５０と、システム全体にわたって流体を移送するための管２２２、２３２、２４２、及び２４４と、を含む、構成要素を有する。
【０１０１】
管２２２は、液体リザーバ２２０から往復式流量制御装置２４０へと液体を移送する。管２３２は、ガスリザーバ２３０から往復式流量制御装置２４０へとガスを移送する。管２４２及び２４４は、往復式流量制御装置２４０から器具２５０へと同伴流体を移送する。管２４２は、器具２５０の第１の側部２５２へと流体を移送する一方で、管２４４は、器具２５０の第２の側部２５へと流体を移送する。
【０１０２】
この実施形態では、同伴流体は、往復式流量制御装置２４０内で生じる。ガスリザーバ２３０は、同伴流体を往復式流量制御装置２４０に、更には器具２５０に送達するのに十分な圧力下であり得る。いくつかの実施形態では、液体リザーバ２２０は、液体を往復式流量制御装置２４０に送達するのに十分な頭部圧力などの圧力下であり得る。他の実施形態では、ポンプは、液体リザーバ２２０と往復式流量制御装置２４０との間に位置付けることができる。
【０１０３】
この実施形態では、同伴流体は、歯及び歯肉表面と接触すると口腔の中へ分散する。他の実施形態では、同伴流体の液体部分の一部は、管を介して再度リザーバ２２０へと方向付けて、現在又は将来の洗浄プロセスで再使用するか、又は廃棄するように方向付けることができる。
【０１０４】
液体供給リザーバ２２０内の液体は、管２２２を通って往復式流量制御装置２４０へと流れる。ガスリザーバ２３０内のガスは、管２３２を通って往復式流量制御装置２４０へと流れる。背圧によるリザーバ２２０への液体の逆流、又はリザーバ２３０へのガスの逆流をそれぞれ防止するために、一方向流れ弁が管２２２及び／又は管２３２内に存在し得る。
【０１０５】
同伴後に、同伴流体は、流量制御装置２４０の流れ方向設定に応じて、管２４２又は管２４４のいずれかを通って器具２５０へと流れる。
【０１０６】
洗浄動作では、システム２００が一連の同伴流体パルスを器具２５０内に生成する。いくつかの実施形態では、流量制御装置２４０が一連の同伴流体パルスを生じさせる。他の実施形態では、同伴流体パルスは、管２２２、２３２、２４２、又は２４４のいずれかに位置付けられたコントローラによって生成される。
【０１０７】
システム２００を使用して歯を洗浄する１つの方法は、以下のとおりである。第１の工程で、ユーザが、歯及び歯肉領域の周囲の口腔に器具２５０を位置付ける。本発明によるシステムの使用において、ユーザはスタートボタンを押して洗浄プロセスを開始する。洗浄プロセスは、以下のとおりである。
１．システム２００を起動して、管２２２を介した液体リザーバ２２０から往復式流量制御装置２４０への液体の分注、及び管２３２を介したガスリザーバ２３０から往復式流量制御装置２４０へのガスの分注を開始する。往復式流量制御装置２４０は、管２４２を介してガス同伴流体を器具２５０の第１の側部２５２へと送る。同伴流体パルスを使用して、器具２５０の第１の側部２５２から歯及び歯肉領域を洗浄する。同伴流体は、ガス相及び液相に分離する。
２．次いで、往復式流量制御装置２４０を起動して、流体の流れを管２４２から管２４４へと変える。同伴流体パルスを使用して、器具２５０の第２の側部２５４から歯及び歯肉領域を洗浄する。同伴流体は、ガス相及び液相に分離する。
３．洗浄流体を往復運動させるために、工程１及び工程２を繰り返して、同伴流体パルスを使用して、第１の側部２５２から、次いで器具２５０の第２の側部２５４からそれぞれ歯及び歯肉領域を洗浄する。
４．記載されている往復運動サイクルを、洗浄のために必要とされる時間が経過するまで、又は所望のサイクル数が完了するまで継続する。
【０１０８】
この実施形態では、同伴流体は、歯及び歯肉表面と接触すると口腔の中へ分散する。他の実施形態では、同伴流体の液体部分は、管を介して再度リザーバ２２０へと方向付けて、現在又は将来の洗浄プロセスで再使用するか、又は廃棄するように方向付けることができる。
【０１０９】
図４は、本発明によるシステムの第４実施形態の概略図である。この図は、システム３００を示し、液体供給リザーバ３２０と、ガス供給リザーバ３３０と、往復式流量制御装置３４０と、器具３５０と、システム全体にわたって流体を移送するための管３２２、３３２、３４２、３４４、３４６、及び３４８と、を含む、構成要素を有する。
【０１１０】
管３２２は、液体リザーバ３２０から往復式流量制御装置３４０へと液体を移送する。管３３２は、ガスリザーバ３３０から往復式流量制御装置３４０へとガスを移送する。管３４２及び３４４は、往復式流量制御装置３４０から器具３５０へと液体を移送する。管３４２は、器具３５０の第１の側部３５２へと流体を移送する一方で、管３４４は、器具３５０の第２の側部３５へと流体を移送する。管３４６及び３４８は、往復式流量制御装置３４０から器具３５０へとガスを移送する。管３４６は、器具３５０の第１の側部３５２へとガスを移送する一方で、管３４８は、器具３５０の第２の側部３５４へとガスを移送する。
【０１１１】
この実施形態では、同伴流体は、器具３５０内で生じる。ガスリザーバ３３０は、同伴流体を器具３５０に送達するのに十分な圧力下であり得る。いくつかの実施形態では、液体リザーバ３２０は、液体を器具３５０に送達するのに十分な頭部圧力などの圧力下であり得る。他の実施形態では、ポンプは、液体を器具３５０に送達するために、液体リザーバ３２０と往復式流量制御装置３４０との間に位置付けることができる。
【０１１２】
この実施形態では、同伴流体は、歯及び歯肉表面と接触すると口腔の中へ分散する。他の実施形態では、同伴流体の液体部分の一部は、管を介して再度リザーバ３２０へと方向付けて、現在又は将来の洗浄プロセスで再使用するか、又は廃棄するように方向付けることができる。
【０１１３】
液体供給リザーバ３２０内の液体は、管３２２を通って往復式流量制御装置３４０へと流れる。ガスリザーバ３３０内のガスは、管３３２を通って、往復式流量制御装置３４０へと流れる。背圧によるリザーバ３２０への液体の逆流、又はリザーバ３３０へのガスの逆流をそれぞれ防止するために、一方向流れ弁が管３２２及び／又は管３３２内に存在し得る。
【０１１４】
洗浄動作では、システム３００は、一連の同伴流体パルスを器具３５０内に生成する。いくつかの実施形態では、流量制御装置３４０が一連の同伴流体パルスを生じさせる。他の実施形態では、同伴流体パルスは、管３２２、３３２、３４２、３４４、３４６、及び３４８のいずれかに位置付けられたコントローラによって生成される。
【０１１５】
システム３００を使用して歯を洗浄する１つの方法は、以下のとおりである。第１の工程で、ユーザが、歯及び歯肉領域の周囲の口腔に器具３５０を位置付ける。本発明によるシステムの使用において、ユーザはスタートボタンを押して洗浄プロセスを開始する。洗浄プロセスは、以下のとおりである。
１．システム３００を起動して、管３２２を介した液体リザーバ３２０から往復式流量制御装置３４０への液体の分注、及び管３３２を介したガスリザーバ３３０から往復式流量制御装置３４０へのガスの分注を開始する。往復式流量制御装置３４０は、管３４２を介して液体を器具３５０の第１の側部３５２へと送り、管３４６を介してガスを器具３５０の第１の側部３５２へと送る。同伴流体は、器具３５０内で生じる。同伴流体パルスを使用して、器具３５０の第１の側部３５２から歯及び歯肉領域を洗浄する。同伴流体は、ガス相及び液相に分離する。
２．次いで、往復式流量制御装置３４０を起動して、流体の流れを管３４２及び３４６から管３４４及び３４８へと変える。往復式流量制御装置３４０は、管３４４を介して液体を器具３５０の第２の側部３５４へと送り、管３４８を介してガスを器具３５０の第２の側部３５４へと送る。同伴流体パルスを使用して、器具３５０の第２の側部３５４から歯及び歯肉領域を洗浄する。同伴流体は、ガス相及び液相に分離する。
３．洗浄流体を往復運動させるために、工程１及び工程２を繰り返して、同伴流体パルスを使用して、第１の側部３５２から、次いで器具３５０の第２の側部３５４からそれぞれ歯及び歯肉領域を洗浄する。
４．記載されている往復運動サイクルを、洗浄のために必要とされる時間が経過するまで、又は所望のサイクル数が完了するまで継続する。
【０１１６】
この実施形態では、同伴流体は、歯及び歯肉表面と接触すると口腔の中へ分散する。他の実施形態では、同伴流体の液体部分の一部は、管を介して再度リザーバ３２０へと方向付けて、現在又は将来の洗浄プロセスで再使用するか、又は廃棄するように方向付けることができる。
【０１１７】
この実施形態では、同伴流体が器具３５０内で生じるように述べられているが、他の実施形態では、管３４２を器具３５０の前に管３４６と交差させ、器具３５０の前に同伴流体を生じさせことができる。同様の様式で、管３４４を器具３５０の前に管３４８と交差させ、器具３５０の前に同伴流体を生じさせることができる。
【０１１８】
図１、図２、図３、及び図４に記載される各実施形態は、往復式流量制御装置（それぞれ、図１の４０、図２の１４０、図３の２４０、及び図４の３４０）を含む。
【０１１９】
図５ａ及び５ｂは、本発明による第１の実施形態システムで使用される往復式流量制御装置４０の一実施形態の概略図である。図５ａでは、往復式流量制御装置４０は、第１の位置にある一方で、図５ｂでは、往復式流量制御装置４０は、第２の位置にある。この実施形態では、往復式流量制御装置４０は、Ｌポート弁７２の形態である。Ｌポート弁は、中空の穿孔された旋回ボールを使用するボール弁であり、Ｌ字形状の孔７４がボールを通って、弁を通る流れを制御する。この弁は、ボールの孔が流れと直列であるときに開き、孔が流れと直列でないときに閉じる。Ｌポート弁を９０度旋回させると、中心ポートをサイドポートのいずれかに接続する。
【０１２０】
図５ａでは、弁７２は、管２２からの同伴流体が孔７４を通過して管４２に入るように設定されている。システム１０内で流体を往復運動させるには、管２２からの流体が孔７４を通過して管４４に入るように、弁７２を（図５ｂに示されるように）９０度旋回させる。
【０１２１】
図６ａ及び６ｂは、本発明による第２の実施形態システムで使用される往復式流量制御装置１４０の一実施形態の概略図である。図６ａでは、往復式流量制御装置１４０は、第１の位置にある一方で、図６ｂでは、往復式流量制御装置１４０は、第２の位置にある。この実施形態では、往復式流量制御装置１４０は、２つのＬポート弁１７２及び１７６の形態である。弁１７２は、Ｌ字形状の孔１７４を有し、弁１７６は、Ｌ字形状の孔１７８を有する。
【０１２２】
図６ａでは、弁１７２は、管１３２からの同伴流体が孔１７４を通過して管１４２に入るように設定されている。弁１７６は、管１４４を介して器具１５０の第２の側部１５４から戻った液体が孔１７８を通過して管１８２に入るように設定されている。システム１００内で流体を往復運動させるには、管１３２からの同伴流体が孔１７４を通過して管１４４に入る一方で、管１４４を介して器具１５０の第２の側部１５４から戻る液体が孔１７８を通過して管１８２に入るように、弁１７２及び弁１７６を（図６ｂに示されるように）９０度旋回させる。
【０１２３】
図７ａ及び７ｂは、本発明による第３の実施形態システムで使用される往復式流量制御装置２４０の一実施形態の概略図である。図７ａでは、往復式流量制御装置２４０は、第１の位置にある一方で、図７ｂでは、往復式流量制御装置２４０は、第２の位置にある。この実施形態では、往復式流量制御装置２４０は、２つのＬポート弁２７２及び２７６の形態である。弁２７２は、Ｌ字形状の孔２７４を有し、弁２７６は、Ｌ字形状の孔２７８を有する。
【０１２４】
図７ａでは、弁２７６は、管２３２からのガスが孔２７８を通過して管２４２に入るように設定されている。弁２７２は、管２２２からの液体が孔２７４を通過して、同伴が起こる地点で管２４２と交差するように設定されている。上述したように、ベンチュリ効果を使用して、液体をガスストリーム中に同伴させることができる。この実施形態では、管２４２は、ある地点で狭くなり、その後に再度広くなる。液体管２２２は、管２４２の狭窄部分に取り付けられ、液体管２２２内の液体は、管２４２の中へ引き出され、ガス中に同伴される。
【０１２５】
システム２００内で流体を往復運動させるには、管２３２からのガスが孔２７４を通過して管２４４に入るように、弁２７２及び弁２７６を（図７ｂに示されるように）９０度旋回させる。弁２７２は、管２２２からの液体が孔２７４を通過して、同伴が起こる地点で管２４４と交差するように設定されている。ここでは、ベンチュリ効果を使用して、液体をガスストリーム中に同伴させることができる。ここでは、管２４４は、ある地点で狭くなり、その後に再度広くなる。液体管２２２は、管２４４の狭窄部分に取り付けられ、液体管２２２の液体は、管２４４の中へ引き出され、ガス中に同伴される。
【０１２６】
図８ａ及び８ｂは、本発明による第４の実施態様システムで使用される往復式流量制御装置３４０の一実施形態の概略図である。図８ａでは、往復式流量制御装置３４０は、第１の位置にある一方で、図８ｂでは、往復式流量制御装置３４０は、第２の位置にある。この実施形態では、往復式流量制御装置３４０は、２つのＬポート弁３７２及び３７６の形態である。弁３７２は、Ｌ字形状の孔３７４を有し、弁３７６は、Ｌ字形状の孔３７８を有する。
【０１２７】
図８ａでは、弁３７２は、管３２２からの液体が孔３７４を通過して管３４２に入るように設定されている。弁３７６は、管３２２からのガスが孔３７８を通過して管３４６に入るように設定されている。システム３００内で流体を往復運動させるには、管３２２からの液体が孔３７４を通過して管３４４に入るように、弁３７２及び３７６を（図８ｂに示されるように）９０度旋回させる。弁３７６は、管３３２からのガスが孔３７８を通過して管３４８に入るように設定されている。
【０１２８】
上述したように、器具（５０、１５０、２５０、又は３５０）は、適用トレー又はマウスピースの形態とすることができる。図９〜図１２は、ユーザの上の歯又は下の歯及び歯肉領域のみが流体と接触する適用トレー１２００の一実施形態を表す。他の実施形態では、適用トレー１２００は、本明細書の他の場所で表されるように、実質的に同時にユーザの上の歯又は下の歯及び歯肉領域に接触するように設計され得ることを理解されたい。
【０１２９】
図９は、本発明に従って使用するための適用トレー１２００の頂部正面斜視図である。図１０は、図９の適用トレー１２００の実施形態の頂部背面図である一方で、図１１は、図９の適用トレー１２００の底部背面図である。これらの図は、外前壁１２１２と、外後壁１２１４と、内前壁１２１６と、内後壁１２１８と、を有する、適用トレー１２００を示す。内前壁ジェットスロット１２３２は、内前壁１２１６に位置付けられる一方で、内後壁ジェットスロット１２３４は、内後壁１２１８に位置付けられる。第１のポート１２４４及び第２のポート１２４２は、外前壁１２１２を通って適用トレー１２００に進入する。
【０１３０】
図９〜図１２に示されるような内前壁ジェットスロット１２３２及び内後壁ジェットスロット１２３４の数及び場所は、例示的なものであり、適用トレーの範囲を限定することを意図しない。内前壁ジェットスロット１２３２及び内後壁ジェットスロット１２３４の実際の数、形状、及びサイズは、歯及び歯肉の洗浄に影響を及ぼし、また、洗浄流体のジェットを様々なスプレーパターンで方向付けるように選択又は設計することができる。図９〜図１１に示される内前壁ジェットスロット１２３２及び内後壁ジェットスロット１２３４は、ジェットスロット構成の一実施形態にすぎない。
【０１３１】
他の実施形態ではまた、外前壁１２１２、外後壁１２１４、又は両方の壁に位置付けられた補助壁ジェットスロットも存在し得る。これらのジェットは、同伴流体を口腔、又は内唇、又は舌に方向付けることを可能にして、口の中のこれらの領域の洗浄又は処理を促進する。
【０１３２】
図１２は、図９の適用トレー１２００の垂直断面図である。この図は、外前壁１２１２及び内前壁１２１６によって境界された空間として定義される第１のマニホールド１２４６を示す。第２のマニホールド１２４８は、外後壁１２１４及び内後壁１２１８によって境界された空間を画定する。流体接触チャンバ（ＦＣＣ）１２５４は、内前壁１２１６、内後壁１２１８、及び内基部壁１２５０によって画定される。
【０１３３】
洗浄動作の一実施形態では、同伴流体は、圧力によって第１のポート１２４４を通って第１のマニホールド１２４６に進入し、次いで、内前壁ジェットスロット１２３２を通ってＦＣＣ１２５４に進入する。この実施形態では、同伴流体のジェットは、最初に、歯、歯肉、及び／又は歯肉領域の前側へ方向付けられる。次にマニホールド内の流れが逆転される。同伴流体は、圧力によって第２のポート１２４２を通って第２のマニホールド１２４８に進入し、次いで、内後壁ジェットスロット１２３４を通ってＦＣＣ１２５４に進入する。この実施形態の第２の部分では、同伴流体のジェットは、歯、歯肉、及び／又は歯肉領域の後側へ方向付けられる。いくつかのサイクルを通して圧力を交互させることで、乱流の反復可能かつ可逆な流れを生じさせ、それによって、口腔の表面を通じて、かつその周囲に同伴の往復運動を提供する。
【０１３４】
図１３は、本発明による装置と共に使用される、口腔内の複数の表面へ同伴流体を方向付けるための手段の第２の実施形態、例えば適用トレー１１００の上面斜視図である。図１４は、図１３の適用トレー１１００の底面斜視図である。この図は、外前壁１１１２と、外後壁１１１４と、内前壁１１１６と、内後壁１１１８と、基部膜、例えばバイトプレート１１５６と、を有する、適用トレー１１００を示す。内前壁ジェットスロット１１３２は、内前壁１１１６に位置付けられる一方で、内後壁ジェットスロット１１３４は、内後壁１１１８に位置付けられる。図１３及び図１４に示される内前壁ジェットスロット１１３２及び内後壁ジェットスロット１１３４は、ジェットスロット構成の一実施形態にすぎない。第１のポート１１４２及び第２のポート１１４４は、外側前壁１１１２を通って適用トレー１１００に進入する。
【０１３５】
他の実施形態ではまた、外前壁１１１２、外後壁１１１４、又は両方の壁に位置付けられた補助壁ジェットスロットも存在し得る。これらのジェットは、同伴流体を口腔、又は内唇、又は舌に方向付けることを可能にして、口の中のこれらの領域の洗浄又は処理を促進する。
【０１３６】
図１３及び図１４は、ユーザの上の歯及び下の歯並びに／又は歯肉領域が流体と実質的に同時に接触して、所望の有益効果を提供する、適用トレー１１００の一実施形態を表す。他の実施形態では、適用トレー１１００は、ユーザの上の歯又は下の歯及び／又は歯肉領域のみを洗浄及び／又は処理するように設計され得ることを理解されたい。
【０１３７】
同伴流体パルスを使用して、器具（５０、１５０、２５０、又は３５０）の第１の側部又は第２の側部から歯及び歯肉領域を洗浄する。以下、本発明で使用するための器具を論じる。図１５は、口腔の歯肉内の哺乳類の歯の断面図である。この図は、第１の側部４０２及び第２の側部４０４を有する歯４００、並びに第１の側部４５２及び第２の側部４５４を有する、歯肉４５０を示す。歯肉のライン４２５は、歯４００と歯肉４５０との交差点にある。
【０１３８】
図１６は、本発明に従って使用される器具５０の第１の実施形態の断面の断面図である。器具５０は、第１の側部５２及び第２の側部５４と、第１のマニホールド５６及び第２のマニホールド５８と、第１のジェット６２及び第２のジェット６４と、を有する。管４２及び４４は、同伴流体パルス流体を器具５０へと移送する。管４２は、流体を器具５０の第１の側部５２へと移送し、同伴流体パルスを第１のマニホールド５６の中へ送達する。管４４は、流体を器具５０の第２の側部５４へと移送し、同伴流体パルスを第２のマニホールド５８の中へ送達する。マニホールド５６、５８は、それぞれ、同伴流体パルスをジェット６２、６４へと送達する。ジェット６２は、同伴流体パルスを、歯４００の第１の側部４０２、及び／又は歯肉４５０の第１の側部４５２、及び／又は歯肉ライン４２５へと送達する。ジェット６４は、同伴流体パルスを、歯４００の第２の側部４０４、及び／又は歯肉４５０の第２の側部４５４、及び／又は歯肉ライン４２５へと送達する。いくつかの実施形態では、同伴流体パルスは、歯肉ライン４２５への送達が好ましい。ノズルから歯表面までの距離は、いくつかの実施形態では、約０ｍｍ（歯表面に接触する）〜約１０ｍｍ、又は約１ｍｍ〜約５ｍｍである。
【０１３９】
図１６は、ジェット６２及び第２のジェット６４の各々を１つだけ示しているが、いくつかの実施形態では、マニホールド５６、５８は、同伴流体パルスを、器具５０の第１の側部５２及び／又は第２の側部５４の複数のジェットへと送達し得ることに留意されたい。
【０１４０】
使用中に、同伴流体パルスは、器具５０を左右に往復運動する。よって、洗浄動作は、歯４００の第１の側部４０２から第２の側部４０４へと、及び／又は歯肉４５０の第１の側部４５２から第２の側部４５４へと交互する。いくつかの実施形態では、往復運動中に、第１のジェット６２が同伴流体パルスを歯又は歯肉の第１の側部へと送達する一方で、同時に第２のジェット６４が歯又は歯肉の第２の側部から同伴流体パルスの液相を真空化する。次いで、第２のジェット６４が同伴流体パルスを歯又は歯肉の第２の側部へと送達する一方で、同時に第１のジェット６２が歯又は歯肉の第１の側部からの同伴流体パルスの液相を真空化する。
【０１４１】
器具５０で上の説明はまた、器具１５０、２５０、又は３５０の説明にも使用され得る。全てのこれらの実施形態では、同伴流体は、流体が器具に進入する前に生じる。いくつかの実施形態では、同伴流体は、流体が器具に進入した後に生じる。
【０１４２】
図１７は、本発明に従って使用される器具５５０の第２の実施形態の断面の断面図である。器具５５０は、第１の側部５５２及び第２の側部５５４と、第１のマニホールド５５６及び第２のマニホールド５５８と、第１のジェット５６２及び第２のジェット５６４と、を有する。管５４２及び５４４は、液体を器具５５０へと移送する。管５４２は、液体を器具５５０の第１の側部５５２へと移送し、律動的に送り込まれ得る液体を第１のマニホールド５５６の中へと送達する。管５４４は、液体を器具５５０の第２の側部５５４へと移送し、律動的に送り込まれ得る液体を第２のマニホールド５５８の中へと送達する。マニホールド５５６、５５８は、それぞれ、液体をジェット５６２、５６４へと送達する。ジェット５６２は、液体を、歯４００の第１の側部４０２、及び／又は歯肉４５０の第１の側部４５２、及び／又は歯肉ライン４２５へと送達する。ジェット５６４は、液体を、歯４００の第２の側部４０４、及び／又は歯肉４５０の第２の側部４５４、及び／又は歯肉ライン４２５へと送達する。いくつかの実施形態では、同伴流体パルスは、歯肉ライン４２５への送達が好ましい。
【０１４３】
第３のジェット５２６は、ガスのパルスを、歯４００の第１の側部４０２、及び／又は歯肉４５０の第１の側部４５２、及び／又は歯肉ライン４２５へと送達する。同伴流体パルスは、ジェット５２６からのガス流とジェット５６２からの液体流との交差点において生じる。同様に、第４のジェット５２８は、ガスのパルス、歯４００の第２の側部４０４、及び／又は歯肉４５０の第２の側部４５４、及び／又は歯肉ライン４２５へと送達する。同伴流体パルスは、ジェット５２８からのガス流とジェット５６４からの液体流との交差点において生じる。
【０１４４】
図１７は、ジェット５６２及び第２のジェット５６４の各々を１つだけを示しているが、いくつかの実施形態では、マニホールド５５６、５５８は、液体を、器具５５０の第１の側部５５２及び／又は第２の側部５５４の複数のジェットへと送達し得ることに留意されたい。
【０１４５】
また、どちらもガスを送達する第３のジェット５２６及び第４のジェット５２８が、好ましくは、洗浄又は処理されている表面に向かって方向付けられることにも留意されたい。
【０１４６】
使用中に、同伴流体パルスは、器具５５０を左右に往復運動する。よって、洗浄動作は、歯４００の第１の側部４０２から第２の側部４０４へと、及び／又は歯肉４５０の第１の側部４５２から第２の側部４５４へと交互する。いくつかの実施形態では、往復運動中に、第１のジェット５６２が液体を歯又は歯肉の第１の側部へと送達する一方で、同時に第２のジェット５６４が歯又は歯肉の第２の側部から同伴流体パルスの液相を真空化する。次いで、第２のジェット５６４が液体を歯又は歯肉の第２の側部へと送達する一方で、同時に第１のジェット５６２が歯又は歯肉の第１の側部からの同伴流体パルスの液相を真空化する。
【０１４７】
図１８は、本発明に従って使用される器具６５０の第３の実施形態の断面の断面図である。器具６５０は、第１の側部６５２及び第２の側部６５４と、第１のマニホールド６５６及び第２のマニホールド６５８と、第１のジェット６６２及び第２のジェット６６４と、を有する。管６４２及び６４４は、ガスを器具６５０へと移送する。管６４２は、ガスを器具６５０の第１の側部６５２へと移送し、第１のマニホールド６５６の中へパルスガスを送達する。管６４４は、ガスを器具６５０の第２の側部６５４へと移送し、第２のマニホールド６５８の中へパルスガスを送達する。マニホールド６５６、６５８は、それぞれ、ガスをジェット６６２、６６４へと送達する。ジェット６６２は、ガスを、歯４００の第１の側部４０２、及び／又は歯肉４５０の第１の側部４５２、及び／又は歯肉ライン４２５へと送達する。ジェット６６４は、ガスを、歯４００の第２の側部４０４、及び／又は歯肉４５０の第２の側部４５４、及び／又は歯肉ライン４２５へと送達する。いくつかの実施形態では、同伴流体パルスは、歯肉ライン４２５への送達が好ましい。
【０１４８】
管６２６は、液体又は液体のパルスを、歯４００の第１の側部４０２、及び／又は歯肉４５０の第１の側部４５２、及び／又は歯肉ライン４２５へと送達する。同伴流体パルスは、管６２６からの液体流とジェット６６２からのガス流との交差点において生じる。同様に、管６２８は、液体又は液体のパルスを、歯４００の第２の側部４０４、及び／又は歯肉４５０の第２の側部４５４、及び／又は歯肉ライン４２５へと送達する。同伴流体パルスは、ジェット６２８からの液体流とジェット６６４からのガス流との交差点において生じる。
【０１４９】
図１８は、第１のジェット６６２及び第２のジェット６６４の各々を１つだけ示しているが、いくつかの実施形態では、マニホールド６５６、６５８は、同伴流体を、器具６５０の第１の側部６５２及び／又は第２の側部６５４の複数のジェットへと送達し得ることに留意されたい。
【０１５０】
また、図１８は、管６２６が液体を第１のジェット６６２と歯４００との間の領域に送達するように示しているが、いくつかの実施形態では、管６２６が液体をマニホールド６５６へと送達し得ることに留意されたい。同様に、管６２８が液体をマニホールド６５８へと送達し得る。これらの実施形態では、同伴流体は、マニホールド６５６及び６５８において生じる。次いで、同伴流体パルスは、ジェット６６２及び６６４を通して歯４００へと送達される。
【０１５１】
使用中に、同伴流体パルスは、器具６５０を左右に往復運動する。よって、洗浄動作は、歯４００の第１の側部４０２から第２の側部４０４へと、及び／又は歯肉４５０の第１の側部４５２から第２の側部４５４へと交互する。いくつかの実施形態において、往復運動中に、管６２６が液体を歯又は歯肉の第１の側部へと送達する一方で、同時に管６２８が歯又は歯肉の第２の側部からの同伴流体パルスの液相を真空化する。次いで、管６２８が液体を歯又は歯肉の第２の側部へと送達する一方で、同時に管６２６が歯又は歯肉の第１の側部からの同伴流体パルスの液相を真空化する。
【０１５２】
パルスパラメータ
上で述べたように、特定の実施形態では、本発明のシステム／装置は、一方の流体（ガス／液体）を他方（液体／ガス）に律動的に送り込んで、少なくとも１つのノズルに方向付けられた同伴流体を生じるように設計される。そのような実施形態において、出願人らは、任意の様々なパルスパラメータを使用することができることを認識した。特定の実施形態では、液体／流体パルスと組み合わせられる、グラフィカルに測定されるガスパルスの周波数（「ガスパルス周波数」）は、約１Ｈｚを含む、約０．２５Ｈｚ〜約５Ｈｚを含む、約０．１Ｈｚ〜約２５Ｈｚである。特定の実施形態では、ガスパルスと組み合わせられる、グラフィカルに測定される液体パルス又は液体含有流体パルスの周波数（「流体パルス周波数」）は、約２５Ｈｚを含む、約５Ｈｚ〜約３０Ｈｚを含む、約０Ｈｚ〜約５０Ｈｚである。本発明に従って任意の好適な流体及びガスパルス周波数を使用することができる一方で、出願人らは、特定の好ましい実施形態において、０超〜約２５、０超〜約１５、又は０超〜約１０を含む、０超〜約５０の流体パルス周波数とガスパルス周波数との比を使用して、改善された利益を達成することができることを発見した。
【０１５３】
任意の様々な他のシステムパラメータを使用することができる。特定の実施形態では、ガスは、その供給源から、約１０ｐｓｉを含む、約１０〜約１５ｐｓｉを含む、約５〜約２０ｐｓｉを含む、約５〜約３５ｐｓｉを含む、約１〜約１００ｐｓｉのガスマニホールド圧力で提供される。特定の実施形態では、ガスパルス幅は、約３０ｍｓを含む、約５ｍｓ〜約１００ｍｓを含む、約０．１００ｍｓ〜約５００ｍｓである。特定の実施形態では、システムは、ノズルパルスあたり約０．００１〜約０．１０ｍｌを含む、ノズルパルスあたり約０．０００１ｍｌ〜約１ｍｌの流体パルスを提供する。
【実施例】
【０１５４】
（実施例１）
試験した、図１に表されるシステム１０は、０〜１００％のプログラム可能なパルスデューティサイクルによって０〜２５Ｈｚの周波数で流体、液体、又はガスのパルシング及び往復運動の両方を行わせることができるカスタムプログラム可能な往復式流量制御装置４０に、管２２によって接続された、流体供給リザーバ２０（モデルＢ５０１、Ａｌｌｏｙ  Ｐｒｏｄｕｃｔｓ  Ｃｏｒｐ．，Ｗａｕｋｅｓｈａ，ＷＩ）から成る。この制御装置はまた、総処理時間、往復運動の前のパルスの時間量／数、及び往復運動の数をプログラムすることも可能にした。流量制御装置４０は、流体を、管４４及び／又は４２を通して器具５０に、器具の側部５４及び／又は５２にそれぞれ移送した。試験目的の器具５０は、直径５００ミクロンの２０個のノズルアレイを器具の各側部に提供するように設計した。ノズルは、直線パターンで均等に離間させ、ノズルは、水平及び垂直方向において中心間で１５００ミクロンに均等に離間させた。試験中は、内側ノズルが、処理又は洗浄される基板に対して相対的に垂直に、かつ基板の中心で目標に衝突するように、ノズル出口を定位置に位置付けた。内側ノズル６２及び６４を図１６に示す。ノズル出口及びバイオフィルムで覆った基板からの固定位置を３０００±５００μｍで位置付けた。圧力は、加圧窒素タンク（頭部圧力）から流体供給リザーバに供給し、タンクにおいて１５０ｐｓｉに調整した。圧力調整器（モデル４４−２２１１−２４１、Ｔｅｓｃｏｍ，Ｍｉｎｎｅａｐｏｌｉｓ，ＭＮ）及びデジタル圧力インジケータ（６０ｐｓｉ、Ｗｅｉｓ，Ｓｏｌａｒ  Ｍｅｔｒｉｘ，Ｈｏｌｔｓｖｉｌｌｅ，ＮＹ）を使用して、タンクの後かつ流体供給リザーバ２０の前で追加の圧力調整を行った。この入力圧力を使用して、流体供給リザーバ内の流体にエネルギーを与えて、システムを通してこの流体を推進させた。計装並びにデータ取り込み及び分析ソフトウェアを使用して、圧力センサを利用した各試験中の実際のパラメータを測定及び記録した。ソフトウェアは、各試験から圧力、パルス周波数、パルス幅／デューティサイクル、往復運動周波数、及び総処理持続時間を抽出することを可能にするように、圧力対時間のデータ出力をグラフ化した。この情報は、セッションセッション後の分析のためにグラフィカル形態（圧力対時間グラフ）で保存した。データは、ミリ秒ごとに少なくとも１ｋＨｚの解像度（すなわち１つの「圧力対時間」位置）で収集し、各セッション／試験について圧力グラフによって表し、取り込んだ。使用した計装は、圧力センサ（モデルＭＬＨ０５０ＰＧＢ０６Ａ、Ｈｏｎｅｙｗｅｌｌ，Ｍｏｒｒｉｓｔｏｗｎ，ＮＪ）で構成した。センサは、内径１／４インチのバーブドティーフィッティングを使用して、管４４及び４２内に位置付け、器具の側部５４及び５２の各々の３インチ以内に位置付けた。圧力トランスデューサは、Ｎａｔｉｏｎａｌ  Ｉｎｓｔｒｕｍｅｎｔｓ  ＤＡＱ（モデル＃ＵＳＢ−６３４３、Ｎａｔｉｏｎａｌ  Ｉｎｓｔｒｕｍｅｎｔｓ，Ａｕｓｔｉｎ，ＴＸ）に進み、ＵＳＢ−３．０接続を有する市販のラップトップコンピュータに移送し、Ｎａｔｉｏｎａｌ  Ｉｎｓｔｒｕｍｅｎｔｓ  Ｌａｂｖｉｅｗ及びカスタムプログラムを実行して���データの記録及び表示の両方を行った。ＡＥＦＰを可能にするレベルまで液体を流体供給リザーバに充填したときにＡＥＦＰが起こり、ガス及び液体を同時に混合し、リザーバから排出し、通常２００ｍｌ未満の液体で、流量制御装置に供給した。注記：上に記載した全ての「管」は、内径１／４インチ×長さ１２インチ〜１８インチであり、１５０ｐｓｉの最小圧力定格である。逆流を防ぐために、任意に、２ｐｓｉ未満のクラッキング圧力を有する一方向弁を管２２、４４、及び４２内に配置した。
【０１５５】
この流量制御装置はまた、これらの実験に使用した第２の任意の入力／出力（図示せず）が、真空ポンプ（図示せず）を介して、ＡＥＦＰ送達と反対の器具の側部／ノズル内に負の圧力差を提供することも可能にした。この負圧は、負圧を使用した全ての実験について、蠕動ポンプ（モデル＃７４２０３−４７、Ｃｏｌｅ  Ｐａｒｍｅｒ，Ｖｅｒｎｏｎ  Ｈｉｌｌｓ，ＩＬ）を介して生じさせた。収集した流体は、廃棄し、再使用しなかった。
【０１５６】
一連の試験は、流体供給リザーバ２０内の加圧液体（ｄｉ−Ｈ２Ｏ）によって行って、制御された完全な流体パルスを生じさせて、圧力、パルス周波数、パルス幅、パルス速度、及び流体往復運動の制御を可能にした。試料における流体の蓄積を防ぐために、パルスを受容しないアプリケータノズルの側部に真空を加えた。実験に利用した設定条件を以下に記載する：
【０１５７】
【表１】
2020521594.tif 000003
（注記：往復運動単位は、方向の数によって、流体が一方向へ律動的に送り込まれる時間量として定義される。よって、１５ｓ×２は、合計３０秒の処理について、第１の方向に１５秒間律動的に送り込み、次いで第２の方向に１５秒間律動的に送り込んだ単位を示す。）
【０１５８】
バイオフィルムは、被験者の頬側の義歯に固定した３ｍｍのヒトのエナメルチップ上で７日間インビボで成長させた。これは、相当なバイオフィルムの接着及び凝集粘着性を有するヒトの生歯において経験される、代表的なヒトのバイオフィルム特性を達成するように行った。７日間成長させた後、バイオフィルムを有するエナメルチップを取り出し、歯の形状の周囲を表すように歯形状の試験治具内に配置した。この実施例では、７つのエナメルチップを使用した。
【０１５９】
ＲＥＶＥＡＬ１００−７９４０赤色染色液（Ｈｅｎｒｙ  Ｓｃｈｅｉｎ  Ｉｎｃ．，Ｍｅｌｖｉｌｌｅ，ＮＹ）を利用して、処理前及び処理後の両方で、指示された赤色染料の染色処置に従って、バイオフィルムを染色した。容積除去とも称される処理後のバイオフィルム厚さの低減は、前処理した染色試料と比較したときの、赤色染料信号強度の低減によって測定することができる。試料の残留染色強度によって証明されるこの種類の低減は、明ピンク（相当なバイオフィルム厚さの低減を示す）から、バイオフィルム厚さの低減をほとんど〜全く示さない明赤色の範囲であり得る。観察された容積除去は、バイオフィルム内に凝集破壊があるが、試料表面に付着したままであること、又は試料内のクレータ様の形成物によって表される処理領域の外へ歯垢が押し出される「クレータを生じる」ことに起因して起こる。バイナリ除去とも称される接着破壊は、染色後の試料上の染色の欠如で測定することができ、大部分が白色／淡灰色の視認可能な試料上の領域をもたらす。
【０１６０】
洗浄評価は、「不可〜最良」のスケールに基づいて決定した。「不可」は、バイナリバイオフィルムの除去を全く表さず、僅かな容積除去だけを表した。「最良」は、試料からのバイナリ除去を完了した。「不可〜最良」の間のカテゴリは、「普通」、「良好」、及び「より良好」とした。全て、容積及びバイナリ除去の視覚的評価によって分類した。
【０１６１】
この試験に使用した７つのチップの視覚的洗浄評価は、「不可」又は「普通」であるとみなされた。
【０１６２】
別の試験を、流体供給リザーバ２０内の加圧液体（ｄｉ−Ｈ２Ｏ）によって行って、制御された完全な流体パルスを生じさせて、圧力、パルス周波数、パルス幅、パルス速度、及び流体往復運動の制御を可能にした。パルスを受容しないアプリケータノズルの側部に真空を加えた。実験に利用した設定条件を以下に記載する：
【０１６３】
【表２】
2020521594.tif 000004
（注記：往復運動単位は、方向の数によって、流体が一方向へ律動的に送り込まれる時間量として定義される。よって、５ｓ×４は、合計２０秒の処理について、第１の方向に５秒間律動的に送り込み、次いで第２の方向に５秒間律動的に送り込み、次いで第１及び第２の律動的な送り込みを繰り返した単位を示す。）
【０１６４】
インビトロのバイオフィルム、４８時間ＳミュータンスをＨＡディスクのような５ｍｍの焼結エナメル上で成長させ、次いで、歯形状の試験治具内に配置して、試料を取り囲む代表的な口腔形状を提供した。
【０１６５】
ここでも、ＲＥＶＥＡＬ１００−７９４０赤色染色液（Ｈｅｎｒｙ  Ｓｃｈｅｉｎ  Ｉｎｃ．，Ｍｅｌｖｉｌｌｅ，ＮＹ）を利用して、処理前及び処理後の両方で、指示された赤色染料の染色処置に従って、バイオフィルムを染色し、上に記載した「不可〜最良」のスケールに基づいて洗浄評価を決定した。
【０１６６】
この試験に使用したチップの視覚的洗浄評価は、「普通」であるとみなされた。この試験では、流体の頭部圧力を、最初の試験におけるプロセス状態から５０％（３６ｐｓｉから５５ｐｓｉへ）増加させ、最初の試験の平均パルス速度よりも２倍大きい（２１ｍ／ｓ対１０ｍ／ｓ）、計算された平均パルス速度をもたらした。ジェットの直接的な衝突領域内で、少量の接着破壊が観察された。
【０１６７】
最後に、負の対照試験を、流体供給リザーバ２０内の加圧ガス（窒素）によって行って、制御されたガスパルスを生じさせて、圧力、パルス周波数、パルス幅、及び処理期間の制御を可能にした。パルスを受容しないアプリケータノズルの側部に真空を加えた。実験に利用した設定条件を以下に記載する：
【０１６８】
【表３】
2020521594.tif 000005
（注記：器具マニホールドにおける測定圧力は、２８ｐｓｉで記録を開始し、次いで、圧力回復時間のシステムダイナミクスのため、１０秒後に、１４ｐｓｉまで段階的に減少させる。）
【０１６９】
インビトロのバイオフィルム、４８時間ＳミュータンスをＨＡディスクのような５ｍｍの焼結エナメル上で成長させ、次いで、歯形状の試験治具内に配置して、試料を取り囲む代表的な口腔形状を提供した。
【０１７０】
再度、ＲＥＶＥＡＬ１００−７９４０赤色染色液（Ｈｅｎｒｙ  Ｓｃｈｅｉｎ  Ｉｎｃ．，Ｍｅｌｖｉｌｌｅ，ＮＹ）を利用して、バイオフィルムを染色し、続いて、処理前及び処理後の両方に、指示された赤色染料で染色処置を行い、洗浄評価を、上に記載した「不可〜最良」のスケールに基づいて決定した。
【０１７１】
この試験に使用したチップの視覚的洗浄評価は、「不可」であるとみなされた。これは、ガス単独で、高圧であっても、バイオフィルムに相当な分解及び除去を生じさせるには不十分であったことを示した。
【０１７２】
（実施例２）
試験した、図２に表されるシステム１００は、液体供給源リザーバ１２０（モデルＢ５０１、Ａｌｌｏｙ  Ｐｒｏｄｕｃｔｓ  Ｃｏｒｐ．，Ｗａｕｋｅｓｈａ，ＷＩ）、及びガス供給リザーバ１３０から成る。液体リザーバ１２０は、液体を管１２２に供給する一方で、ガスリザーバ１３０は、ガスを管１３２に供給し、管１２２及び管１３２の交差点で組み合わせて、空気同伴流体を生じさせる。次いで、流体（組み合わせた液体及びガス）を、管１３２を通して、０〜１００％のプログラム可能なパルスデューティサイクルによって周波数０〜２５Ｈｚで、流体のパルシング及び往復運動の両方を行わせることができる、カスタムプログラム可能な往復式流量制御装置１４０の第１の入力に導く。この制御装置はまた、総処理時間、往復運動の前のパルスの時間量／数、及び往復運動の数をプログラムすることも可能にした。流量制御装置はまた、管１４６を通した第２の任意の入力／出力も可能にし、これらの実験について、真空ポンプ１８０を介して入力管１２２を通して供給される（正の圧力に対して）負の圧力差を使用した。この負圧は、負圧を使用した全ての実験について、蠕動ポンプ（モデル＃７４２０３−４７、Ｃｏｌｅ  Ｐａｒｍｅｒ，Ｖｅｒｎｏｎ  Ｈｉｌｌｓ，ＩＬ）を介して生じさせた。流量制御装置１４０は、流体を、管１４４又は１４２を通して器具１５０に、また、管１４４又は１４２を通して器具１５０から移送する。本質的に四方弁であり、出力管１８２が管１４４に流体接続されたときに、流体制御装置１４０の入力が管１２２において管１４２の出力に流体接続される。又は、出力管１８２が管１４２に流体接続されたときに、流体制御装置１４０の入力が管１２２において管１４４に流体接続される。大部分の液体は、ポンプ／真空源１８０により管１８２を通り、管１８４を通って引き戻され、別体のリザーバに収集若しくは廃棄することができ（図示せず）、又は示されるような液体リザーバ１２０の中へ再度捕捉することができる。
【０１７３】
試験目的の器具１５０は、直径５００ミクロンの２０個のノズルアレイを器具の各側部に提供するように設計した。ノズルは、直線パターンで均等に離間させ、ノズルは、水平及び垂直方向において中心間で１５００ミクロンに均等に離間させた。試験中は、内側ノズルが、処理又は洗浄される基板に対して相対的に垂直に、かつ基板の中心で目標に衝突するように、ノズル出口を定位置に位置付けた。ノズル出口及びバイオフィルムで覆った基板からの固定位置を３０００±５００μｍで位置付けた。正の圧力は、加圧窒素タンク（頭部圧力）から液体供給リザーバ１２０に供給し、タンクにおいて１５０ｐｓｉに調整した。圧力調整器（モデル４４−２２１１−２４１、Ｔｅｓｃｏｍ，Ｍｉｎｎｅａｐｏｌｉｓ，ＭＮ）及びデジタル圧力インジケータ（６０ｐｓｉ、Ｗｅｉｓ，Ｓｏｌａｒ  Ｍｅｔｒｉｘ，Ｈｏｌｔｓｖｉｌｌｅ，ＮＹ）を使用して、タンクの後かつ流体供給リザーバ１２０の前で追加の圧力調整を行った。この入力圧力を使用して、流体供給リザーバ内の液体にエネルギーを与え、管１２２を通して液体を推進した。ガスリザーバ１３０の圧力は、空気タンクによって提供し、１５０ｐｓｉに調整した。圧力調整器（モデル４４−２２１１−２４１、Ｔｅｓｃｏｍ，Ｍｉｎｎｅａｐｏｌｉｓ，ＭＮ）及びデジタル圧力インジケータ（６０ｐｓｉ、Ｗｅｉｓ，Ｓｏｌａｒ  Ｍｅｔｒｉｘ，Ｈｏｌｔｓｖｉｌｌｅ，ＮＹ）を使用して、空気タンクの後かつガスリザーバ１３０の前で追加の圧力調整を行った。この入力圧力を使用して、ガス供給リザーバ内のガスにエネルギーを与えて、管１３２を通してこのガスを推進させ、次いで、このガスを管１３２内で管１２２からの液体と組み合わせて、空気同伴流体を生じさせた。次いで、この空気同伴流体を、正の圧力下で流量制御装置１４０に入力した。同伴液体の流量は、指定された調整器を使用してガス頭部圧力を調節することによって制御し、任意に、管１２２内で機械的流量制御オリフィス（図示せず）を使用して更に制御した。ガス流量は、ガス制御調整器を介して制御した。
【０１７４】
計装並びにデータ取り込み及び分析ソフトウェアを使用して、圧力センサを利用した各試験中の実際のパラメータを測定及び記録した。ソフトウェアは、各試験から圧力、パルス周波数、パルス幅／デューティサイクル、往復運動周波数、及び総処理持続時間を抽出することを可能にするように、圧力対時間のデータ出力をグラフ化した。この情報は、セッションセッション後の分析のためにグラフィカル形態（圧力対時間グラフ）で保存した。データは、ミリ秒ごとに少なくとも１ｋＨｚのサンプリングレートの解像度（すなわち１つの「圧力対時間」位置）で収集し、各セッション／試験について圧力グラフによって表し、取り込んだ。使用した計装は、圧力センサ（モデルＭＬＨ０５０ＰＧＢ０６Ａ、Ｈｏｎｅｙｗｅｌｌ，Ｍｏｒｒｉｓｔｏｗｎ，ＮＪ）で構成した。センサは、内径１／４インチのバーブドティーフィッティングを使用して、管１４４及び１４２内に位置付け、器具の側部１５４及び１５２の各々の３インチ以内に位置付けた。圧力トランスデューサのデータは、ナショナルインスツルメンツＤＡＱ（モデル＃ＵＳＢ−６３４３、Ｎａｔｉｏｎａｌ  Ｉｎｓｔｒｕｍｅｎｔｓ，Ａｕｓｔｉｎ，ＴＸ）を通して収集し、このデータをＵＳＢ−３．０接続を有する市販のラップトップコンピュータに移送し、Ｎａｔｉｏｎａｌ  Ｉｎｓｔｒｕｍｅｎｔｓ  Ｌａｂｖｉｅｗ及びカスタムプログラムを実行して、データの記録及び表示の両方を行った。注記：上に記載した全ての「管」は、内径１／４インチ×長さ１２インチ〜１８インチであり、１５０ｐｓｉの最小圧力定格である。
【０１７５】
逆流を防ぐために、任意に、約１ｐｓｉのクラッキング圧力を有する一方向弁を管１２２、及び１３２内に配置した。
【０１７６】
（実施例３）
試験した、図３に表されるシステム２００は、液体供給リザーバ２２０（モデルＢ５０１、Ａｌｌｏｙ  Ｐｒｏｄｕｃｔｓ  Ｃｏｒｐ．，Ｗａｕｋｅｓｈａ，ＷＩ）、ガス供給リザーバ２３０（圧縮空気タンク）、カスタム往復式流量制御装置２４０、及びカスタム器具２５０から成る。往復式流体制御装置は、ガスパルス及び液体パルスの両方についてパルス及び流れの方向（往復運動）の両方をプログラムすることを可能にし、並びに、ガスパルスと流体パルスとの同期又は非同期動作を可能にする、カスタム構築された市販の構成要素で構成した。これは、圧力センサ（モデルＭＬＨ０５０ＰＧＢ０６Ａ、Ｈｏｎｅｙｗｅｌｌ，Ｍｏｒｒｉｓｔｏｗｎ，ＮＪ）に接続したガスパルス（Ｎｉ  ＤＡＱモデル＃ＵＳＢ−６３６３、Ｎａｔｉｏｎａｌ  Ｉｎｓｔｒｕｍｅｎｔｓ，Ａｕｓｔｉｎ，ＴＸ）の開始時に液体パルスが生じるようにトリガすることによって達成した。液体パルス幅、周波数、及び方向は、適切なソレノイド弁（モデル７１２１５ＳＮ２ＭＮ００Ｎ０Ｃ１１１Ｐ３、Ｈｏｎｅｙｗｅｌｌ，Ｍｏｒｒｉｓｔｏｗｎ，ＮＪ）を作動させる、Ｌａｂｖｉｅｗカスタムプログラムを通して制御して、ガスパルスに対するパルス方向及びタイミングを制御した。ガスパルス幅、周波数、及び方向は、Ｍａｘｏｎ  ＥＰＯＳソフトウェアを通してプログラム及び制御される、カスタム回転弁を介して制御した。行った実験について、液体は、ガスパルス制御の下流でガスパルスの中へ律動的に送り込み、又は同伴させて、空気同伴流体パルス（air entrained fluid pulse、ＡＥＦＰ）を生じさせた。ＡＥＦＰは、プログラムされた流れの方向に応じて、管２４４及び／又は２４２を通って器具２５０の中へ進行する。別の実施形態では、往復式流体制御装置２４０を表す液体及びガスのプログラム可能な制御装置を反転させることができることに留意されたい。反転させた実施形態では、ガスは、往復式流体制御装置２４０のソレノイド／Ｌａｂｖｉｅｗ制御区間を通して供給し、液体は、カスタム回転弁を通して供給した。
【０１７７】
往復式流体制御装置は、ガス及び液体の両方について０〜１００％のプログラム可能なパルスデューティサイクルによって０〜２５Ｈｚの周波数で液体及びガスの両方を律動的に送り込むことができる。この制御装置はまた、総処理時間、往復運動の前のパルスの時間量／数、及び往復運動の数をプログラムすることも可能にした。流量制御装置はまた、第２の任意の入力／出力（図示せず）も可能にし、これらの実験について、真空ポンプ（図示せず）に接続して、負の圧力差を生じさせた。この負圧は、負圧を使用した全ての実験について、蠕動ポンプ（モデル＃７４２０３−４７、Ｃｏｌｅ  Ｐａｒｍｅｒ，Ｖｅｒｎｏｎ  Ｈｉｌｌｓ，ＩＬ）を介して生じさせた。収集した流体は、廃棄し、再使用しなかった。
【０１７８】
試験目的の器具２５０は、直径５００ミクロンの２０個のノズルアレイを器具の各側部に提供するように設計した。ノズルは、直線パターンで均等に離間させ、ノズルは、水平及び垂直方向において中心間で１５００ミクロンに均等に離間させた。試験中は、内側ノズルが、処理又は洗浄される基板に対して相対的に垂直に、かつ基板の中心で目標に衝突するように、ノズル出口を定位置に位置付けた。ノズル出口及びバイオフィルムで覆った基板からの固定位置を３０００±５００μｍで位置付けた。正の圧力は、加圧窒素タンク（頭部圧力）から液体供給リザーバ２２０に供給し、タンクにおいて１５０ｐｓｉに調整した。圧力調整器（モデル４４−２２１１−２４１、Ｔｅｓｃｏｍ，Ｍｉｎｎｅａｐｏｌｉｓ，ＭＮ）及びデジタル圧力インジケータ（６０ｐｓｉ、Ｗｅｉｓ，Ｓｏｌａｒ  Ｍｅｔｒｉｘ，Ｈｏｌｔｓｖｉｌｌｅ，ＮＹ）を使用して、タンクの後かつ流体供給リザーバ２２０の前で追加の圧力調整を行った。この入力圧力を使用して、流体供給リザーバ内の液体にエネルギーを与え、その液体を管２２２を通して推進した。ガスリザーバ２３０の圧力は、空気タンクによって提供し、１５０ｐｓｉに調整した。圧力調整器（モデル４４−２２１１−２４１、Ｔｅｓｃｏｍ，Ｍｉｎｎｅａｐｏｌｉｓ，ＭＮ）及びデジタル圧力インジケータ（６０ｐｓｉ、Ｗｅｉｓ，Ｓｏｌａｒ  Ｍｅｔｒｉｘ，Ｈｏｌｔｓｖｉｌｌｅ，ＮＹ）を使用して、空気タンクの後かつガスリザーバ２３０の前で追加の圧力調整を行った。この入力圧力を使用して、ガス供給リザーバ内のガスにエネルギーを与えて、管２３２を通してこのガスを流体制御装置へと推進させた。加圧液体は、管２２２を通して液体供給リザーバ２２０から流体制御装置に供給される。液体及びガスは、それらのそれぞれの制御システムによって制御し、方向付け、次いで、組み合わせて、ＡＥＦＰを生じさせる。同伴液体の流量は、指定された調整器を使用してガス頭部圧力を調節することによって制御し、任意に、機械的な流れ速度制御開口部を使用して、ガス内への同伴の直前に、機械的流量制御オリフィスを使用して更に制御して、空気同伴流体を生じさせた。ガス流量は、ガス制御調整器を介して制御した。
【０１７９】
エネルギー付与したパルスは、管２４２及び／又は２４４を通って器具に流れる。計装並びにデータ取り込み及び分析ソフトウェアを使用して、圧力センサを利用した各試験中の実際のパラメータを測定及び記録した。ソフトウェアは、各試験から圧力、パルス周波数、パルス幅／デューティサイクル、往復運動周波数、及び総処理持続時間を抽出することを可能にするように、圧力対時間のデータ出力をグラフ化した。この情報は、セッションセッション後の分析のためにグラフィカル形態（圧力対時間グラフ）で保存した。データは、ミリ秒ごとに少なくとも１ｋＨｚのサンプリングレートの解像度（すなわち１つの「圧力対時間」位置）で収集し、各セッション／試験について圧力グラフによって表し、取り込んだ。使用した計装は、圧力センサ（モデルＭＬＨ０５０ＰＧＢ０６Ａ、Ｈｏｎｅｙｗｅｌｌ，Ｍｏｒｒｉｓｔｏｗｎ，ＮＪ）で構成した。センサは、内径１／４インチのバーブドティーフィッティングを使用して、管２４４及び２４２内に位置付け、器具の側部２５４及び２５２の各々の３インチ以内に位置付けた。圧力トランスデューサのデータは、Ｎａｔｉｏｎａｌ  Ｉｎｓｔｒｕｍｅｎｔｓ  ＤＡＱ  ＤＡＱ（モデル＃ＵＳＢ−６３６３、Ｎａｔｉｏｎａｌ  Ｉｎｓｔｒｕｍｅｎｔｓ，Ａｕｓｔｉｎ，ＴＸ）を通して収集し、ＵＳＢ−３．０接続を有する市販のラップトップコンピュータに移送し、Ｎａｔｉｏｎａｌ  Ｉｎｓｔｒｕｍｅｎｔｓ  Ｌａｂｖｉｅｗ及びカスタムプログラムを実行して、データの記録及び表示の両方を行った。注記：上に記載した全ての「管」は、内径１／４インチ×長さ１２インチ〜１８インチであり、１５０ｐｓｉの最小圧力定格である。
【０１８０】
逆流を防ぐために、任意に、約１ｐｓｉのクラッキング圧力を有する一方向弁を管２５２、及び２４４内に配置した。負圧は、ＡＥＦＰパルスを受信していない器具２５０の器具側部２５２又は２５４に加えた。
【０１８１】
一連の試験は、流体供給リザーバ２２０内の液体（ｄｉ−Ｈ２Ｏ）及び供給リザーバ２３０内の窒素ガスによって行って、制御された同伴流体パルス（ＡＥＦＰ）を生じさせ、流体の同伴速度、ガスパルス圧力、パルス周波数、パルス幅、及び流体往復運動の制御を可能にした。試料における流体の蓄積を防ぐために、パルスを受容しないアプリケータノズルの側部に真空を加えた。実験に利用した設定条件を以下に記載する：
【０１８２】
【表４】
2020521594.tif 000006
（注記：速度は、高速ビデオ顕微鏡又はＨＳＶＭを使用したピクセル追跡を介して、試験の後に測定した。）
【０１８３】
動作に際して、１６０ｍｌの液体を、各方向における動作の最初の８秒にわたって一定の速度で同伴させた。各方向における残りの７秒は、主にパルスガスのみであった。
【０１８４】
バイオフィルムは、被験者の頬側の義歯に固定した３ｍｍのヒトのエナメルチップ上で７日間インビボで成長させた。これは、相当なバイオフィルムの接着及び凝集粘着性を有するヒトの生歯において経験される、代表的なヒトのバイオフィルム特性を達成するように行った。７日間成長させた後、バイオフィルムを有するエナメルチップを取り出し、歯の形状の周囲を表すように歯形状の試験治具内に配置した。この実施例では、１２個のエナメルチップを使用した。
【０１８５】
ＲＥＶＥＡＬ１００−７９４０赤色染色液（Ｈｅｎｒｙ  Ｓｃｈｅｉｎ  Ｉｎｃ．，Ｍｅｌｖｉｌｌｅ，ＮＹ）を利用して、処理前及び処理後の両方で、指示された赤色染料の染色処置に従って、バイオフィルムを染色した。容積除去とも称される処理後のバイオフィルム厚さの低減は、前処理した染色試料と比較したときの、赤色染料信号強度の低減によって測定することができる。試料の残留染色強度によって証明されるこの種類の低減は、明ピンク（相当なバイオフィルム厚さの低減を示す）から、バイオフィルム厚さの低減をほとんど〜全く示さない明赤色の範囲であり得る。観察された容積除去は、バイオフィルム内に凝集破壊があるが、試料表面に付着したままであること、又は試料内のクレータ様の形成物によって表される処理領域の外へ歯垢が押し出される「クレータを生じる」ことに起因して起こる。バイナリ除去とも称される接着破壊は、染色後の試料上の染色の欠如で測定することができ、大部分が白色／淡灰色の視認可能な試料上の領域をもたらす。
【０１８６】
洗浄評価は、「不可〜最良」のスケールに基づいて決定した。「不可」は、バイナリバイオフィルムの除去を全く表さず、僅かな容積除去だけを表した。「最良」は、試料からのバイナリ除去を完了した。「不可〜最良」の間のカテゴリは、「普通」、「良好」、及び「より良好」とした。全て、容積及びバイナリ除去の視覚的評価によって分類した。
【０１８７】
この試験に使用した１２個のチップの視覚的洗浄評価は、「良好／より良好」であるとみなされた。この試験では、ガスパルス入力の追加及び一定速度での液体の同伴を伴い、ガス入力圧力及び液体頭部圧力は、実施例１のプロセス条件から３分の２を超えて（５５／３６ｐｓｉから１０ｐｓｉに）減少させ、１０±２ｍ／ｓの範囲でピークの液体粒子速度を測定した。インシトゥー成長させた唾液バイオフィルムの分解及び除去の結果は、実施例１による２つの試験と比較して大幅に向上した。
【０１８８】
別の一連の試験を、流体供給リザーバ２２０内の液体配合物（ｄｉ−Ｈ２０  ｗ／１０％シリカ  チキソシル６３：二酸化ケイ素（ＳｉＯ２））及び供給リザーバ２３０内の窒素ガスよって行って、制御された同伴流体パルス（ＡＥＦＰ）を生じさせ、流体同伴速度の制御、ガスパルス圧力、パルス周波数、パルス幅、及び流体往復運動の制御を可能にした。試料における流体の蓄積を防ぐために、パルスを受容しないアプリケータノズルの側部に真空を加えた。ＳｉＯ２を、配合物の研磨剤として提供した。実験に利用した設定条件を以下に記載する：
【０１８９】
【表５】
2020521594.tif 000007
（注記：速度は、高速ビデオ顕微鏡又はＨＳＶＭを使用したピクセル追跡を介して、試験の後に測定した。）
【０１９０】
動作に際して、１６０ｍｌの液体を、各方向における動作の最初の９秒にわたって一定の速度で同伴させた。各方向における残りの６秒は、主に律動的に送り込まれたガスだけであった。
【０１９１】
この実施例において先に論じたように、バイオフィルムは、被験者の頬側の義歯に固定した３ｍｍのヒトのエナメルチップ上で７日間インビボで成長させた。また、先に論じたように、ＲＥＶＥＡＬ１００−７９４０の赤色染色液（Ｈｅｎｒｙ  Ｓｃｈｅｉｎ，Ｉｎｃ．，Ｍｅｌｖｉｌｌｅ，ＮＹ）を利用して、バイオフィルムに着色し、洗浄評価は、「不可〜最良」のスケールに基づいて決定した。
【０１９２】
この試験に使用した１０個のチップの視覚的洗浄評価は、「より良好／最良」であるとみなされた。この試験では、研磨剤を配合物に加えた。研磨剤は、全ての以前の試験と比較して、全体として洗浄結果を改善した。
【０１９３】
更に別の一連の試験は、流体供給リザーバ２２０内の液体（ｄｉ−Ｈ２Ｏ）及び供給リザーバ２３０内の窒素ガスによって行って、制御された同伴流体パルス（ＡＥＦＰ）を生じさせ、流体の同伴速度及びパルス周波数、ガスのパルス周波数及びパルス幅の制御を可能にした。流体往復運動は、利用しなかった。試料における流体の蓄積を防ぐために、パルスを受容しないアプリケータノズルの側部に真空を加えた。実験に利用した設定条件を以下に記載する：
【０１９４】
【表６】
2020521594.tif 000008
【０１９５】
この試験のセットでは、液体パルス周波数及びガスパルス周波数を変動させ、液体とガスとのパルス周波数比を計算した。液体パルス周波数は、０Ｈｚ（液体の供給なし）〜２５Ｈｚの範囲で、ガスパルス周波数は、０．５Ｈｚ〜２５Ｈｚの範囲であった。１つの試験では、液体を一定の速度で供給し、ガスパルス周波数は、２５Ｈｚであった。また、処理の時間も変動させ、各試験について総ガスパルスを計算し、報告した。
【０１９６】
インビトロのバイオフィルム、４８時間ＳミュータンスをＨＡディスクのような５ｍｍの焼結エナメル上で成長させ、次いで、歯形状の試験治具内に配置して、試料を取り囲む代表的な口腔形状を提供した。
【０１９７】
ここでも、ＲＥＶＥＡＬ１００−７９４０赤色染色液（Ｈｅｎｒｙ  Ｓｃｈｅｉｎ  Ｉｎｃ．，Ｍｅｌｖｉｌｌｅ，ＮＹ）を利用して、処理前及び処理後の両方で、指示された赤色染料の染色処置に従って、バイオフィルムを染色した。赤色染色した試料の後処理及びデジタル撮像に続いて、試料は、次いで、クリスタルバイオレット染色液（Ｈａｒｌｅｃｏ（ＥＭＤ  Ｃｈｅｍｉｃａｌｓ）、６５０９２Ａ−９５）で着色して、視覚的画像分析のためにコントラストを向上させた。洗浄評価は、全て先の実施例に記載されている、「不可〜最良」のスケールに基づいて決定した。
【０１９８】
表１は、観察した洗浄に対する液体とガスとのパルス周波数比の効果を示す。
【０１９９】
【表７】
2020521594.tif 000009
＊−ガス流なし
＊＊−液体流なし
【０２００】
表１は、流体／ガスパルス周波数比と洗浄評価との間に相関があったことを示している。流体パルス／ガスパルス比が１０以下であるとき、視覚的洗浄評価は、「より良好」〜「最良」であった（約１００％のバイオフィルム除去と解釈する）。１０を超える比は、「良好」〜「普通」の結果を提供した。よって、（パルス周波数に対して）ガスパルス周波数が高くなるにつれて、試料からのバイオフィルムの分解及び除去がより向上する。
【０２０１】
（実施例４）
試験した、図４に表されるシステム３００は、液体供給リザーバ３２０（モデルＢ５０１、Ａｌｌｏｙ  Ｐｒｏｄｕｃｔｓ  Ｃｏｒｐ．，Ｗａｕｋｅｓｈａ，ＷＩ）、ガス供給リザーバ３３０（圧縮空気タンク）、カスタム往復式流量制御装置２４０、及びカスタム器具３５０から成る。往復式流体制御装置は、ガスパルス及び液体パルスの両方についてパルス及び流れの方向（往復運動）の両方をプログラムすることを可能にし、並びに、ガスパルスと流体パルスとの同期又は非同期動作を可能にする、カスタム設計／カスタム構築された市販の構成要素で構成した。これは、圧力センサ（モデルＭＬＨ０５０ＰＧＢ０６Ａ、Ｈｏｎｅｙｗｅｌｌ，Ｍｏｒｒｉｓｔｏｗｎ，ＮＪ）に接続したガスパルス（Ｎｉ  ＤＡＱモデル＃ＵＳＢ−６３６３、Ｎａｔｉｏｎａｌ  Ｉｎｓｔｒｕｍｅｎｔｓ，Ａｕｓｔｉｎ，ＴＸ）の開始時に液体パルスが生じるようにトリガすることによって達成した。液体パルス幅、周波数、及び方向は、適切なソレノイド弁（モデル７１２１５ＳＮ２ＭＮ００Ｎ０Ｃ１１１Ｐ３、Ｈｏｎｅｙｗｅｌｌ，Ｍｏｒｒｉｓｔｏｗｎ，ＮＪ）を作動させる、Ｌａｂｖｉｅｗカスタムプログラムを通して制御して、管３４２及び／又は３４４を通る液体パルスのパルス方向及びタイミングを制御した。ガスパルス幅、周波数、及び方向は、Ｍａｘｏｎ  ＥＰＯＳソフトウェアを通してプログラム及び制御される、カスタム回転弁を介して制御した。ガスパルスは、往復運動方向及び液体パルス方向に応じて、管３４６又は３４８に送達し、よって、液体パルスが管３４２から第１の側部３５２に送達されている場合、ガスパルスもまた、管３４６から第１の側部３５２に送達されている。反対に、液体パルスが管３４４から第２の側部３５４である場合、ガスパルスはまた、管３４８を通して、第２の側部３５４にも送達される。また、ガス及び液体は、それぞれ管３４２、３４６、３４４、及び３４８を通して、第１の側部３５２及び第２の側部３５４に供給することもできる。これらの実験の目的で、ガス及び液体は、管３４２及び３４６を通して第１の側部３５２に供給した一方で、流体は、蠕動ポンプ（モデル＃７４２０３−４７，Ｃｏｌｅ  Ｐａｒｍｅｒ，Ｖｅｒｎｏｎ  Ｈｉｌｌｓ，ＩＬ）を使用して負の相対圧力を生じさせることによって、管３４４を通して第２の側部３５４から除去した。
【０２０２】
この流量制御装置はまた、これらの実験に使用した第２の任意の入力／出力（図示せず）が、真空ポンプ（図示せず）を介して、ＡＥＦＰ送達と反対の側部内に負の圧力差を提供することも可能にした。この負圧は、負圧を使用した全ての実験について、蠕動ポンプを介して生じさせた。収集した流体は、廃棄し、再使用しなかった。往復式流体制御装置は、ガス及び／又は液体のいずれかについて、０〜１００％のプログラム可能なパルスデューティサイクルによって０〜２５Ｈｚの周波数で律動的に送り込むことができる。この制御装置はまた、総処理時間、往復運動の前のパルスの時間量／数、及び往復運動の数をプログラムすることも可能にした。
【０２０３】
試験目的に使用した器具３５０は、直径５００μｍの２０個のノズルアレイを器具の各側部に提供するように設計した。ノズルは、直線の４×５パターンで均等に離間させ、ノズルは、水平及び垂直方向において中心間で１５００ミクロンに均等に離間させた。試験中は、内側ノズルが、処理又は洗浄される基板に対して相対的に垂直に、かつ基板の中心で目標に衝突するように、ノズル出口を定位置に位置付けた。図１７及び図１８では、ノズル５６２及び５６４、並びにノズル６６２及び６６４は、それぞれ、これらのノズルの歯４００に対する方向及び位置を例示する。加えて、図１７及び図１８に示されるように、ノズル５２６、５２８、並びにノズル６２６及び６２８は、それぞれ別体のセットであり、かつノズル５４２、５４４、６４２、及び６４４によって表されるノズルカラム列に対して垂直に整列される。ノズル出口及びバイオフィルムで覆われた基板からの一定距離は、約３０００ミクロンに位置付けた。実験試験中に、空気パルスは、ノズル６６２によって図１８に表されるノズルアレイを通して歯に供給し、液体は、ノズルアレイ６６２を通してガスパルスに同伴させて、歯に接触する前にＡＥＦＰを生じさせた。実験中に、流体を除去するために、ノズル６４４によって表される反対側のノズルアレイを通して真空を加えた。反対に、流体は、図１７に示されるように、ノズル５２６及び／又は５２８を介してガスパルスを供給しながら、ノズル５６２及び／又は５４４を通して器具チャンバの中へ注入して／同伴させて、歯に衝突する前にＡＥＦＰを生じさせることができる。
【０２０４】
正の圧力は、加圧窒素タンク（頭部圧力）から液体供給リザーバ３２０に供給し、タンクにおいて１５０ｐｓｉに調整した。圧力調整器（モデル４４−２２１１−２４１、Ｔｅｓｃｏｍ，Ｍｉｎｎｅａｐｏｌｉｓ，ＭＮ）及びデジタル圧力インジケータ（６０ｐｓｉ、Ｗｅｉｓ，Ｓｏｌａｒ  Ｍｅｔｒｉｘ，Ｈｏｌｔｓｖｉｌｌｅ，ＮＹ）を使用して、タンクの後かつ流体供給リザーバ３２０の前で追加の圧力調整を行った。この入力圧力を使用して、流体供給リザーバ内の液体にエネルギーを与え、その液体を管３２２を通して推進した。ガスリザーバ３３０の圧力は、空気タンクによって提供し、１５０ｐｓｉに調整した。圧力調整器（モデル４４−２２１１−２４１、Ｔｅｓｃｏｍ，Ｍｉｎｎｅａｐｏｌｉｓ，ＭＮ）及びデジタル圧力インジケータ（６０ｐｓｉ、Ｗｅｉｓ，Ｓｏｌａｒ  Ｍｅｔｒｉｘ，Ｈｏｌｔｓｖｉｌｌｅ，ＮＹ）を使用して、空気タンクの後かつガスリザーバ３３０の前で追加の圧力調整を行った。この入力圧力を使用して、ガス供給リザーバ内のガスにエネルギーを与えて、管３３２を通してこのガスを流体制御装置へと推進させた。加圧液体は、管３２２を通して液体供給リザーバ３２０から流体制御装置に供給される。
【０２０５】
同伴液体の流量は、指定された調整器を使用してガス頭部圧力を調節することによって制御し、任意に、管３２２、又は３４４及び３４２内で機械的流量制御オリフィス（図示せず）を使用して更に制御した。ガス流量は、ガス制御調整器を介して制御した。
【０２０６】
器具のノズルを出た後、かつ歯に接触する前に、液体及びガスは、それらのそれぞれの制御システムによって制御し、方向付け、次いで、組み合わせて、ＡＥＦＰを生じさせる。計装並びにデータ取り込み及び分析ソフトウェアを使用して、圧力センサを利用した各試験中の実際のパラメータを測定及び記録した。ソフトウェアは、各試験から圧力、パルス周波数、パルス幅／デューティサイクル、往復運動周波数、及び総処理持続時間を抽出することを可能にするように、圧力対時間のデータ出力をグラフ化した。この情報は、セッションセッション後の分析のためにグラフィカル形態（圧力対時間グラフ）で保存した。データは、ミリ秒ごとに少なくとも１ｋＨｚのサンプリングレートの解像度（すなわち１つの「圧力対時間」位置）で収集し、各セッション／試験について圧力グラフによって表し、取り込んだ。使用した計装は、圧力センサ（モデルＭＬＨ０５０ＰＧＢ０６Ａ、Ｈｏｎｅｙｗｅｌｌ，Ｍｏｒｒｉｓｔｏｗｎ，ＮＪ）で構成した。センサは、内径１／４インチのバーブドティーフィッティングを使用して、管３４２、３４４、３４６、及び３４８内に位置付け、器具の側部３５４及び３５２の各々の３インチ以内に位置付けた。圧力トランスデューサのデータは、Ｎａｔｉｏｎａｌ  Ｉｎｓｔｒｕｍｅｎｔｓ  ＤＡＱ  ＤＡＱ（モデル＃ＵＳＢ−６３６３、Ｎａｔｉｏｎａｌ  Ｉｎｓｔｒｕｍｅｎｔｓ，Ａｕｓｔｉｎ，ＴＸ）を通して収集し、ＵＳＢ−３．０接続を有する市販のラップトップコンピュータに移送し、Ｎａｔｉｏｎａｌ  Ｉｎｓｔｒｕｍｅｎｔｓ  Ｌａｂｖｉｅｗ及びカスタムプログラムを実行して、データの記録及び表示の両方を行った。注記：上に記載した全ての「管」は、内径１／４インチ×長さ１２インチ〜１８インチであり、１５０ｐｓｉの最小圧力定格である。
【０２０７】
逆流を防ぐために、任意に、約１ｐｓｉのクラッキング圧力を有する一方向弁を管２５２、及び２４４内に配置した。負圧は、ＡＥＦＰパルスを受信していない器具２５０の器具側部２５２又は２５４に加えた。
【０２０８】
〔実施の態様〕
（１）  口腔ケアシステムであって、
ａ．第１及び第２の複数のノズルを備える器具であって、前記第１及び第２の複数のノズルがユーザの口腔の１つ又は２つ以上の表面と流体連通した状態で前記ユーザの口の中に保持されるように構成された、器具と、
ｂ．ガスの供給源と、
ｃ．液体の供給源と、
ｄ．流体を前記器具に方向付けるための流体制御装置と、を備え、
そのようなシステムは、０超〜約５０の周波数比（液体／ガス）で、前記ガスの供給源からのガスが前記流体制御装置から前記器具内の前記第１の複数のノズルへ律動的に送り込まれ、かつ前記液体の供給源からの液体が前記流体制御装置から律動的に送り込まれた前記ガスの中へ律動的に送り込まれて、前記流体制御装置と前記ノズルとの間に同伴流体を形成するように構成されている、口腔ケアシステム。
（２）  前記周波数比（液体／ガス）が、０超〜約１５である、実施態様１に記載のシステム。
（３）  前記周波数比（液体／ガス）が、０超〜約１０である、実施態様１に記載のシステム。
（４）  前記ガスの供給源が、約６．８９〜約６８９．４８ｋＰａ（約１〜約１００ｐｓｉ）の圧力でガスを提供する、実施態様１に記載のシステム。
（５）  前記ガスの供給源が、約３４．４７〜約１３７．９０ｋＰａ（約５〜約２０ｐｓｉ）の圧力でガスを提供する、実施態様１に記載のシステム。
【０２０９】
（６）  前記ガスの供給源が、約６８．９５〜約１０３．４２ｋＰａ（約１０〜約１５ｐｓｉ）の圧力でガスを提供する、実施態様１に記載のシステム。
（７）  前記システムが、ノズルパルスあたり約０．００１〜約０．１０ｍｌの流体パルスを提供する、実施態様４に記載のシステム。
（８）  実施態様１に記載のシステムの器具をユーザの口の中に保持することと、前記装置を動作させて、同伴流体を前記器具に方向付け、かつ前記器具から流体を除去することと、を含む、口腔ケアの利益を前記口腔の１つ又は２つ以上の表面に提供する方法。
（９）  前記同伴流体が、口内洗浄液を含む、実施態様８に記載の方法。
（１０）  前記口内洗浄液が、水と、メントール、チモール、オイカリプトール、サリチル酸メチル、及びこれらのうちの２種又は３種以上の組み合わせからなる群から選択される１つ又は２つ以上の精油と、を含む、実施態様９に記載の方法。
【０２１０】
（１１）  前記口内洗浄液が、エタノールを含む、実施態様１０に記載の方法。
（１２）  前記口内洗浄液が、エタノールを含まない、実施態様１１に記載の方法。
【図１】
2020521594.tif 000010
【図２】
2020521594.tif 000011
【図３】
2020521594.tif 000012
【図４】
2020521594.tif 000013
【図５ａ】
2020521594.tif 000014
【図５ｂ】
2020521594.tif 000015
【図６ａ】
2020521594.tif 000016
【図６ｂ】
2020521594.tif 000017
【図７ａ】
2020521594.tif 000018
【図７ｂ】
2020521594.tif 000019
【図８ａ】
2020521594.tif 000020
【図８ｂ】
2020521594.tif 000021
【図９】
2020521594.tif 000022
【図１０】
2020521594.tif 000023
【図１１】
2020521594.tif 000024
【図１２】
2020521594.tif 000025
【図１３】
2020521594.tif 000026
【図１４】
2020521594.tif 000027
【図１５】
2020521594.tif 000028
【図１６】
2020521594.tif 000029
【図１７】
2020521594.tif 000030
【図１８】
2020521594.tif 000031
【国際調査報告】
2020521594.tif 000032
2020521594.tif 000033
2020521594.tif 000034